(57)【特許請求の範囲】
【請求項１】
コインなどの小物を収納するための小物収納部と、カードなどの薄状物を収納するための薄状物収納部とを備えた収納ケースであって、
ベース体と、
前記ベース体に取り付けられ、前記小物収納部を形成するためのケース本体と、
前記小物収納部に蓋をするための蓋体とを備え、
前記小物収納部は、底板と、前記底板の端縁から立ち上がる側板と、上面に形成された開口とを含む略箱型の形状であり、
前記薄状物収納部は、前記ベース体の内面と、前記ベース体の内面に対向する前記ケース本体の外面との間、または前記ベース体の内面と、前記ベース体の内面に対向する前記蓋体の外面との間に形成され、
前記内面に一対の突部が形成され且つ前記外面の端辺に沿って薄状物収納部に薄状物を挿し込んだり抜き出したりする方向に延びる一対の前後方向延在突部が形成され、
前記一対の前後方向延在突部の間の距離は、カードなどの薄状物の幅とほぼ同じかやや大きい寸法であり、前記一対の突部と前記一対の前後方向延在突部との間に形成される間隙は、薄状物の挿入口側から見たとき、薄状物収納部に薄状物を挿し込んだり抜き出したりする方向に直交する方向においてカード等の薄状物の厚みとほぼ同じかやや小さい寸法であることを特徴とする、収納ケース。
【請求項２】
コインなどの小物を収納するための小物収納部と、カードなどの薄状物を収納するための薄状物収納部とを備えた収納ケースであって、
ベース体と、
前記ベース体に取り付けられ、前記小物収納部を形成するためのケース本体と、
前記小物収納部に蓋をするための蓋体とを備え、
前記小物収納部は、底板と、前記底板の端縁から立ち上がる側板と、上面に形成された開口とを含む略箱型の形状であり、
前記薄状物収納部は、前記ベース体の内面と、前記ベース体の内面に対向する前記ケース本体の外面との間、または前記ベース体の内面と、前記ベース体の内面に対向する前記蓋体の外面との間に形成され、
前記ベース体の内面、または前記ベース体の内面に対向する前記ケース本体もしくは前記蓋体の外面には、薄状物収納部に収納された薄状物が抜け出ることを防止するための突部及び前後方向延在突部が形成され、
前記一対の前後方向延在突部は、内面又は外面の端辺に沿って薄状物収納部に薄状物を挿し込んだり抜き出したりする方向に延び、
前記一対の前後方向延在突部の間の距離は、カードなどの薄状物の幅とほぼ同じかやや大きい寸法であり、前記一対の突部と前記一対の前後方向延在突部との間に形成される間隙は、薄状物の挿入口側から見たとき、薄状物収納部に薄状物を挿し込んだり抜き出したりする方向に直交する方向においてカード等の薄状物の厚みとほぼ同じかやや小さい寸法であることを特徴とする、収納ケース。
【請求項３】
コインなどの小物を収納するための小物収納部と、カードなどの薄状物を収納するための薄状物収納部とを備えた収納ケースであって、
ベース底板を有するベース体と、
前記ベース体に取り付けられ、前記小物収納部を形成するためのケース本体と、
前記小物収納部に蓋をするための蓋体とを備え、
前記小物収納部は、底板と、前記底板の端縁から立ち上がる側板と、上面に形成された開口とを含む略箱型の形状であり、
前記薄状物収納部は、前記ベース体のベース底板と、前記ベース体のベース底板に対向する前記ケース本体の本体底板との間に形成され、
前記ベース底板の薄状物収納部側の面に、一方の突部が形成され、且つ、本体底板の薄状物収納部側の面に他方の突部が形成され、
一方の突部は、厚みの小さい薄状物を薄状物収納部に収納した際に薄状物収納部から抜け出ることを防止し厚みの大きい薄状物を薄状物収納部に収納した際に薄状物収納部から抜けることを防止するとともに、他方の突部は、前記一方の突部と協働して厚みの小さい薄状物を薄状物収納部に収納した際に薄状物収納部から抜け出ることを防止するように構成されたことを特徴とする、収納ケース。
【請求項４】
コインなどの小物を収納するための小物収納部と、カードなどの薄状物を収納するための薄状物収納部とを備えた収納ケースであって、
ベース底板を有するベース体と、
前記ベース体に取り付けられ、前記小物収納部を形成するためのケース本体と、
前記小物収納部に蓋をするための蓋体とを備え、
前記小物収納部は、底板と、前記底板の端縁から立ち上がる側板と、上面に形成された開口とを含む略箱型の形状であり、
前記薄状物収納部は、前記ベース体のベース底板の内面と、前記ベース体のベース底板の内面に対向する前記ケース本体の外面との間に形成され、
前記ベース底板の内面に、一対の一方の突部と一対の他方の突部とが形成され、
前記一方の突部の高さ方向の寸法は、前記他方の突部の高さ方向の寸法より大きく形成され、
一方の突部は、厚みの小さい薄状物を薄状物収納部に収納した際に薄状物収納部から抜け出ることを防止し、且つ、他方の突部は、厚みの大きい薄状物を薄状物収納部に収納した際に薄状物収納部から抜け出ることを防止するように構成されたことを特徴とする、収納ケース。
【請求項５】
前記突部の端部と本体底板の外面とが離間する距離は、薄状物の厚み寸法とほぼ同じかやや小さい寸法である、請求項３又は請求項４に記載の収納ケース。
【発明の詳細な説明】
【技術分野】
【０００１】
この発明は、収納ケースに関し、特にたとえば、コインなどの小物を収納することができる小物収納部と、カードや紙幣などの薄状物を収納することができる収納部とを有する収納ケースに関する。
【背景技術】
【０００２】
従来から、コインなどの小物を収納するための小物収納部、およびカードなどの薄状物を収納するための収納部を備えた収納ケースが知られている。このような収納ケースが、例えば、特許文献１〜７に開示されている。特許文献１には、コインとカードとを収納することができ、支払いをスムーズに行うことができる収納ケースが記載されている。また、特許文献２には、定期券を提示した後に、コインの支払いができる収納ケースが記載されている。また、特許文献３には、カードの出し入れがスムーズで、収容物の落下のおそれがない収納ケースが記載されている。また、特許文献４には、テレホンカード等と合わせて硬貨も収容することができる収納ケースが記載されている。また、特許文献５には、テレホンカードのいたまない、硬貨ともども取り出し易い収納ケースが記載されている。また、特許文献６には、周囲のファスナーを開閉することによってコインとカードの出し入れが容易な収納ケースが記載されている。また、特許文献７には、複数枚のカードを両面に収納し更に、カードとコインを片面ずつ平面的に介在させて、片手で自在に出し入れができるようにした収納ケースが記載されている。
【先行技術文献】
【特許文献】
【０００３】
【特許文献１】特開２０１５−１３１０５号公報
【特許文献２】特開２００８−２１２６１４号公報
【特許文献３】特開２００５−２１９７５２号公報
【特許文献４】実開平６−７５３１号公報
【特許文献５】実開昭６３−７９７２７号公報
【特許文献６】実開昭６３−１５２４１７号公報
【特許文献７】実公平４−３１６３２号公報
【発明の概要】
【発明が解決しようとする課題】
【０００４】
しかしながら、特許文献１，２，５〜７に記載の収納ケースは、コインが特定位置に収納されるため、収納量が少ないという問題があった。また、特許文献３，４，７に記載の収納ケースは、薄状物を収納するための収納部に相当する構造を金型成形することが困難であり、量産しにくいという問題があった。なお、収納ケースは、小物と薄状物とを別々に収納できることが好ましい。
【０００５】
それゆえに、この発明の主たる目的は、量産しやすく、小物の収納量が多く、しかも、小物と薄状物とを別々に収納することができる、収納ケースを提供することである。
【課題を解決するための手段】
【０００６】
この発明に係る収納ケースは、コインなどの小物を収納するための小物収納部と、カードなどの薄状物を収納するための薄状物収納部とを備えた収納ケースであって、ベース体と、ベース体に取り付けられ、小物収納部を形成するためのケース本体と、小物収納部に蓋をするための蓋体とを備え、小物収納部は、底板と、底板の端縁から立ち上がる側板と、上面に形成された開口とを含む略箱型の形状であり、薄状物収納部は、ベース体の内面と、ベース体の内面に対向するケース本体の外面との間、またはベース体の内面と、ベース体の内面に対向する蓋体の外面との間に形成され、前記内面に一対の突部が形成され且つ前記外面の端辺に沿って薄状物収納部に薄状物を挿し込んだり抜き出したりする方向に延びる一対の前後方向延在突部が形成され、前記一対の前後方向延在突部の間の距離は、カードなどの薄状物の幅とほぼ同じかやや大きい寸法であり、前記一対の突部と前記一対の前後方向延在突部との間に形成される間隙は、薄状物の挿入口側から見たとき、薄状物収納部に薄状物を挿し込んだり抜き出したりする方向に直交する方向においてカード等の薄状物の厚みとほぼ同じかやや小さい寸法であることを特徴とする、収納ケースである。
好ましくは、この発明に係る収納ケースが備えるベース体の内面、またはベース体の内面に対向するケース本体もしくは蓋体の外面には、薄状物収納部に収納された薄状物が抜け出ることを防止するための突部が形成される、収納ケースである。
好ましくは、この発明に係る収納ケースが備える薄状物収納部は、ベース体の底板の内面と、ケース本体の底板の外面との間に形成された、収納ケースである。
好ましくは、この発明に係る収納ケースが備える蓋体は、ベース体に回動可能に取り付けられた、収納ケースである。
好ましくは、この発明に係る収納ケースが備えるベース体には、薄状物収納部に収納された薄状物の取り出しを容易とするための長孔が形成された、収納ケースである。
【発明の効果】
【０００７】
この発明によれば、小物収納部が略箱型の形状であり、且つ薄状物収納部が、ベース体の内面と、ベース体の内面に対向するケース本体の外面との間、またはベース体の内面と、ベース体の内面に対向する蓋体の外面との間に形成されることにより、量産しやすく、小物の収納量が多く、しかも、小物と薄状物とを別々に収納することができる、収納ケースを提供し得る。
この発明の他の態様によれば、ケース体収納部が略箱型の形状であり、且つ蓋体収納部が、可撓性および弾力性を有した筒状体であり、ケース体収納部に蓋をするための蓋体を閉じたときケース体収納部の底部に撓んだ状態で当接するように蓋体の内部に取り付けられる。これにより、この発明の他の態様によれば、量産しやすく、収納量が多く、しかも、ケース体収納部に収納される小物などの収納物と、蓋体収納部に収納される薄状物などの収納物とを別々に収納することができ、さらに、ケース体収納部に収納された小物などの収納物がケース体収納部の内壁や他の小物に衝突することにより発生する騒音をより抑制することができ、且つ小物などの収納物が傷付くことをより防止することができる、収納ケースを提供し得る。
【０００８】
この発明の上述の目的、その他の目的、特徴および利点は、図面を参照して行う以下の発明を実施するための形態の説明から一層明らかとなろう。
【図面の簡単な説明】
【０００９】
【図１】この発明の一実施の形態に係る収納ケースの小物収納部が見える状態の斜視図である。
【図２】この発明の一実施の形態に係る収納ケースの薄状物収納部が見える状態の斜視図である。
【図３】この発明の一実施の形態に係る収納ケースの蓋体を閉じた状態の平面図である。
【図４】この発明の一実施の形態に係る収納ケースの蓋体を閉じた状態の底面図である。
【図５】この発明の一実施の形態に係る収納ケースの蓋体を閉じた状態の正面図である。
【図６】この発明の一実施の形態に係る収納ケースの蓋体を閉じた状態の右側面図である。
【図７】この発明の一実施の形態に係る収納ケースの蓋体を開いた状態の平面図である。
【図８】この発明の一実施の形態に係る収納ケースの蓋体を開いた状態の底面図である。
【図９】この発明の一実施の形態に係る収納ケースの蓋体を開いた状態の正面図である。
【図１０】この発明の一実施の形態に係る収納ケースの蓋体を開いた状態の右側面図である。
【図１１】この発明の一実施の形態に係る収納ケースが備えるベース体の平面図である。
【図１２】この発明の一実施の形態に係る収納ケースが備えるベース体の底面図である。
【図１３】この発明の一実施の形態に係る収納ケースが備えるベース体の正面図である。
【図１４】この発明の一実施の形態に係る収納ケースが備えるベース体の背面図である。
【図１５】この発明の一実施の形態に係る収納ケースが備えるベース体の右側面図である。
【図１６】この発明の一実施の形態に係る収納ケースが備えるベース体の断面図であり、（Ａ）が図１１に示すＸＶＩＡ‐ＸＶＩＡ断面図、（Ｂ）が図１１に示すＸＶＩＢ‐ＸＶＩＢ断面図、（Ｃ）が図１１に示すＸＶＩＣ‐ＸＶＩＣ断面図である。
【図１７】この発明の一実施の形態に係る収納ケースが備えるベース体の断面図および拡大図であり、（Ａ）が図１１に示すＸＶＩＩＡ‐ＸＶＩＩＡ断面図、（Ｂ）が図１１に示すＸＶＩＩＢ‐ＸＶＩＩＢ断面図、（Ｃ）が外側突部４６Ｒ、内側突部４８Ｒが重なった部分の拡大図である。
【図１８】この発明の一実施の形態に係る収納ケースが備えるベース体に形成される回転軸挿入孔を示す拡大図である。
【図１９】この発明の一実施の形態に係る収納ケースが備えるケース本体の平面図である。
【図２０】この発明の一実施の形態に係る収納ケースが備えるケース本体の底面図である。
【図２１】この発明の一実施の形態に係る収納ケースが備えるケース本体の正面図である。
【図２２】この発明の一実施の形態に係る収納ケースが備えるケース本体の背面図である。
【図２３】この発明の一実施の形態に係る収納ケースが備えるケース本体の右側面図である。
【図２４】この発明の一実施の形態に係る収納ケースが備えるケース本体の図２２に示すＸＸＩＶ‐ＸＸＩＶ断面図である。
【図２５】この発明の一実施の形態に係る収納ケースが備えるケース本体の断面図であり、（Ａ）が図１９に示すＸＸＶＡ‐ＸＸＶＡ断面図、（Ｂ）が図１９に示すＸＸＶＢ‐ＸＸＶＢ断面図である。
【図２６】この発明の一実施の形態に係る収納ケースが備えるケース本体の図１９に示すＸＸＶＩ‐ＸＸＶＩ断面図である。
【図２７】この発明の一実施の形態に係る収納ケースが備える蓋体の平面図である。
【図２８】この発明の一実施の形態に係る収納ケースが備える蓋体の底面図である。
【図２９】この発明の一実施の形態に係る収納ケースが備える蓋体の正面図である。
【図３０】この発明の一実施の形態に係る収納ケースが備える蓋体の背面図である。
【図３１】この発明の一実施の形態に係る収納ケースが備える蓋体の右側面図である。
【図３２】この発明の一実施の形態に係る収納ケースが備える蓋体の図２７に示すＸＸＸＩＩ‐ＸＸＸＩＩ断面図である。
【図３３】（Ａ）がこの発明の一実施の形態に係る収納ケースが備える蓋体の回転軸の拡大図であり、（Ｂ）が図３２に示すＸＸＸＩＩＩＢ‐ＸＸＸＩＩＩＢ断面図、（Ｃ）が図３２に示すＸＸＸＩＩＩＣ‐ＸＸＸＩＩＩＣ断面図である。
【図３４】この発明の一実施の形態に係る収納ケースが備える蓋体の図３１に示すＸＸＸＩＶ‐ＸＸＸＩＶ断面図である。
【図３５】この発明の一実施の形態に係る収納ケースの蓋体を閉じた状態の平面図であり、３つの部材の係合状態を説明するための断面図の切断箇所を示した図である。
【図３６】この発明の一実施の形態に係る収納ケースの断面図であり、（Ａ）が図３５に示すＸＸＸＶＩＡ‐ＸＸＸＶＩＡ断面図、（Ｂ）が図３５に示すＸＸＸＶＩＢ‐ＸＸＸＶＩＢ断面図である。
【図３７】この発明の一実施の形態に係る収納ケースの図３５に示すＸＸＸＶＩＩ‐ＸＸＸＶＩＩ断面図である。
【図３８】この発明の一実施の形態に係る収納ケースの蓋体を開いた状態の平面図であり、３つの部材の係合状態を説明するための断面図の切断箇所を示した図である。
【図３９】この発明の一実施の形態に係る収納ケースの図３８に示すＸＸＸＩＸ‐ＸＸＸＩＸ断面図である。
【図４０】この発明の一実施の形態に係る収納ケースが備える中敷きを示す平面図であり、（Ａ）が第１の中敷き、（Ｂ）が第２の中敷き、（Ｃ）が第３の中敷きを示す。
【図４１】この発明の他の実施の形態に係る収納ケースの蓋体を開いた状態の斜視図である。
【図４２】この発明の他の実施の形態に係る収納ケースの蓋体を開いた状態の平面図である。
【図４３】この発明の他の実施の形態に係る収納ケースが備えるケース本体の平面図である。
【図４４】この発明の他の実施の形態に係る収納ケースが備えるケース本体の図４３に示すＸＸＸＸＩＶ−ＸＸＸＸＩＶ断面図である。
【図４５】この発明の他の実施の形態に係る収納ケースが備える蓋体を示す底面図である。
【図４６】この発明の他の実施の形態に係る収納ケースが備える蓋体の図４５に示すＸＸＸＸＶＩ−ＸＸＸＸＶＩ断面図である。
【図４７】この発明の他の実施の形態に係る収納ケースが備える蓋体の図４５に示すＸＸＸＸＶＩＩ−ＸＸＸＸＶＩＩ断面図である。
【図４８】この発明の他の実施の形態に係る収納ケースが備える蓋体の図４５に示すＸＸＸＸＶＩＩＩ−ＸＸＸＸＶＩＩＩ断面図である。
【図４９】この発明の他の実施の形態に係る収納ケースが備えるクッション体の正面図である。
【図５０】この発明の他の実施の形態に係る収納ケースが備えるクッション体の背面図である。
【図５１】この発明の他の実施の形態に係る収納ケースが備えるクッション体の平面図である。
【図５２】この発明の他の実施の形態に係る収納ケースが備えるクッション体の底面図である。
【図５３】この発明の他の実施の形態に係る収納ケースが備えるクッション体の図５２に示すＬＩＩＩ部拡大図である。
【図５４】この発明の他の実施の形態に係る収納ケースが備えるクッション体の図５２に示すＬＩＶ−ＬＩＶ断面図である。
【図５５】この発明の他の実施の形態に係る収納ケースが備えるクッション体の図５２に示すＬＶ−ＬＶ断面図である。
【図５６】この発明の他の実施の形態に係る収納ケースが備えるクッション体に薄状物を挿入し、蓋体を開いた状態の平面図である。
【図５７】この発明の他の実施の形態に係る収納ケースの図５６に示すＬＶＩＩ−ＬＶＩＩ断面図である。
【図５８】この発明の他の実施の形態に係る収納ケースの図５６に示すＬＶＩＩＩ−ＬＶＩＩＩ断面図である。
【発明を実施するための形態】
【００１０】
１．全体的な構成について
以下、この発明の一実施の形態に係る収納ケースについて、図面を参照しながら説明する。図１〜１０は、この発明の一実施の形態に係る収納ケースを示す図である。図１は、小物収納部が見える状態の斜視図であり、図２は、薄状物収納部が見える状態の斜視図である。また、図３〜６は、この発明の一実施の形態に係る収納ケースの蓋体を閉じた状態の図であり、図３が平面図、図４が底面図、図５が正面図、図６が右側面図である。また、図７〜１０は、この発明の一実施の形態に係る収納ケースの蓋体を開いた状態の図であり、図７が平面図、図８が底面図、図９が正面図、図１０が右側面図である。
【００１１】
この実施の形態に係る収納ケース１０は、ケース体と、ケース体に取り付けられた蓋体（蓋体２２０）とを備える。ケース体は、ベース体２０と、ケース本体１２０とを備える。ベース体２０、ケース本体１２０および蓋体２２０のそれぞれは、例えば、ＡＢＳ樹脂などの合成樹脂を原料として金型成形される。ケース体は、小物収納部３２０と薄状物収納部３１０とから構成されるケース体収納部を有する。ケース本体１２０の本体底板１４０、右側の本体側板１６０Ｒおよび左側の本体側板１６０Ｌ、並びにベース体２０のベース背板９０により、小物収納部３２０が形成される。したがって、小物収納部３２０は、その上面に平面視略四角形状の開口３８０を有する略箱型の形状である。小物収納部３２０は、図１中に二点鎖線で示すコインなどの小物５２０を収納するために設けられる。また、ベース体２０のベース底板４０と、ケース本体１２０の本体底板１４０との間には、図２の斜視図中に二点鎖線および破線で示すカードなどの薄状物５１０を挿し込んで収納するための薄状物収納部３１０が形成される。なお、薄状物収納部３１０の高さ方向の寸法は、小物収納部３２０のそれよりも小さい。蓋体２２０は、小物収納部３２０の開口３８０に蓋をするために設けられる。なお、収納ケース１０は、薄状物５１０の挿入口側の面を前面（正面）とする。また、正面に対向する面を背面とする。なお、以下の説明において、前後方向（長手方向）とは、薄状物収納部３１０に薄状物５１０を挿し込んだり抜き出したりする方向のことである。そして、また、左右方向（幅方向）とは、収納ケース１０を正面側から見たときの左右方向のことである。また、上下方向（高さ方向）とは、前後方向と左右方向の両方に直交する方向のことである。
【００１２】
図３〜６に示すように、収納ケース１０は、蓋体２２０を閉じた状態のとき、略直方体形状となる。そして、図６および図１０に示すように、蓋体２２０は、右側面側から見たとき、その後端部の回転軸３３０により、前後方向と上下方向が直交する平面において回転可能である。具体的には、蓋体２２０は、図６の状態（すなわち、小物収納部３２０の開口３２８を閉じた状態）からその後端部の回転軸３３０を中心に時計回りに回転することにより、小物収納部３２０の開口３２８を開いた状態にする。逆に、蓋体２２０は、図１０の状態（すなわち、小物収納部３２０の開口３２８を開いた状態）からその後端部の回転軸３３０を中心に反時計回りに回転することにより、小物収納部３２０の開口３２８を閉じた状態にする。
【００１３】
２．ベース体２０について
図１１〜１５は、この発明の一実施の形態に係る収納ケースが備えるベース体を示す外観図であり、図１１が平面図、図１２が底面図、図１３が正面図、図１４が背面図、図１５が右側面図である。また、図１６および図１７は、ベース体の図１１に示す断面図であり、図１６（Ａ）がＸＶＩＡ‐ＸＶＩＡ断面図、図１６（Ｂ）がＸＶＩＢ‐ＸＶＩＢ断面図、図１６（Ｃ）がＸＶＩＣ‐ＸＶＩＣ断面図、図１７（Ａ）がＸＶＩＩＡ‐ＸＶＩＩＡ断面図、図１７（Ｂ）がＸＶＩＩＢ‐ＸＶＩＩＢ断面図である。また、図１７（Ｃ）は、図１７（Ｂ）中の外側突部４６Ｒ、内側突部４８Ｒが重なった部分の拡大図である。ベース体２０は、平面視略四角形状のベース底板４０と、ベース底板４０の右端辺から立ち上がるベース側板６０Ｒと、ベース底板４０の左端辺から立ち上がるベース側板６０Ｌと、ベース底板４０の後端辺から立ち上がるベース背板９０（すなわち、小物収納部３２０の側板）とを含む。すなわち、ベース体２０は、その上面および前面が開放された略箱型の形状である。
【００１４】
ベース底板４０には、長孔４２と、底板前端切欠き部４４とが形成される。長孔４２は、図１１および図１２に示すように、ベース底板４０の左右方向の略中央を前後方向に延びるように形成され、平面視略矩形状である。長孔４２の前端部は、前方に湾曲した円弧状に形成される。同様に、長孔４２の後端部は、後方に湾曲した円弧状に形成される。長孔４２は、図１６（Ｂ）（Ｃ）および図１７（Ｂ）に示すように、ベース底板４０を上下方向に貫通する。
【００１５】
底板前端切欠き部４４は、図１１、図１２および図１７（Ａ）（Ｂ）に示すように、ベース底板４０の前端辺を後方に切欠くように形成される。底板前端切欠き部４４は、ベース底板４０の前端辺の左端部近傍から右端部近傍までの領域を左右方向に延びるように形成され、平面視略矩形状である。なお、底板前端切欠き部４４の左端辺は、後方から前方に向けて左方向に傾斜している。同様に、底板前端切欠き部４４の右端辺は、後方から前方に向けて右方向に傾斜している。
【００１６】
ベース底板４０の内面には、図１１に示すように、一対の外側突部４６Ｒ，４６Ｌと、一対の内側突部４８Ｒ，４８Ｌとが突設される。なお、一対の外側突部４６Ｒ，４６Ｌは、左右対称の位置に突設され、互いに同様の形状を有する。同様に、一対の内側突部４８Ｒ，４８Ｌは、左右対称の位置に突設され、互いに同様の形状を有する。したがって、ここでは外側突部４６Ｒ、内側突部４８Ｒについてのみ説明し、外側突部４６Ｌ、内側突部４８Ｌの同様となる説明は繰り返さない。
【００１７】
外側突部４６Ｒは、その前後方向の位置が長孔４２の後端部の位置とほぼ同じであり、その左右方向の位置がベース底板４０の右端辺に沿った位置である。外側突部４６Ｒは、図１１に示すように平面視略四角形状であり、且つ図１７（Ａ）に示すように、ベース底板４０の内面から上方に滑らかに湾曲した側面視略円弧状に形成される。内側突部４８Ｒは、長孔４２の右端辺の後端部近傍に突設される。内側突部４８Ｒは、図１１および図１７（Ｂ）に示すように、滑らかに湾曲した略半球形状である。図１７（Ｃ）に示すように、内側突出部４８Ｒは、図１７（Ｂ）に示すように、その上下方向の寸法が、外側突部４６Ｒのそれよりも小さい。
【００１８】
ベース側板６０Ｒ，６０Ｌは、左右対称の位置に立設され、互いに同様の形状を有する。したがって、ここではベース側板６０Ｒについてのみ説明し、ベース側板６０Ｌについての同様となる説明は繰り返さない。ベース側板６０Ｒは、図１５に示すように、その前端部から後方に延びるベース長手部６２と、ベース長手部６２の後端部と一体的に形成され、且つベース長手部６２よりも上下方向の寸法が大きい嵌合雌部７０とを有する。
【００１９】
ベース側板６０Ｒのベース長手部６２は、図１３の正面図、並びに図１６（Ｂ）（Ｃ）および図１７（Ａ）（Ｂ）の断面図に示すように、正面側から見たとき、略Ｃ字形状を有する。すなわち、ベース側板６０Ｒのベース長手部６２は、ベース底板４０の右端辺から上方に立ち上がるベース長手基部６４と、ベース長手基部６４の下端辺から左方に立ち上がるベース長手下端部６６と、ベース長手基部６４の上端辺から左方に立ち上がるベース長手上端部６８とを有する。ベース長手基部６４の前後方向の略中央には、図１５の右側面図、並びに図１７（Ａ）（Ｂ）の断面図に示すように、側面視略円形状の第２の嵌合孔６５が形成される。第２の嵌合孔６５は、図１６（Ｃ）に示すように、ベース長手部６２を左右方向に貫通する。
【００２０】
ベース側板６０Ｒの嵌合雌部７０は、図１３の正面図および図１６（Ａ）の断面図に示すように、ベース底板４０の右端辺の後端部から上方に立ち上がる嵌合雌基部７２と、嵌合雌基部７２の上端辺から左方に屈曲する嵌合雌上端部７８とを有する。嵌合雌基部７２の前端部のベース長手部６２よりも上方の位置には、図１５の右側面図および図１７（Ａ）（Ｂ）の断面図に示すように、側面視略四角形状の第１の嵌合孔７４が形成される。第１の嵌合孔７４は、嵌合雌基部７２を左右方向に貫通する。嵌合雌基部７２の外面の第１の嵌合孔７４よりも後方の上端部から下端部近傍までの領域には、左方に凹む嵌合雌凹部７６が形成される。嵌合雌凹部７６の下端部は、下方に湾曲した円弧状に形成される。嵌合雌凹部７６の下端部には、後述する蓋体２２０の回転軸３３０を嵌合するための回転軸挿入孔３４０が形成される。
【００２１】
図１８は、この発明の一実施の形態に係る収納ケースが備えるベース体に形成される回転軸挿入孔を示す拡大図である。図１８（Ａ）が外観拡大図、図１８（Ｂ）が図１８（Ａ）に示すＸＶＩＩＩＢ‐ＸＶＩＩＩＢ断面図、図１８（Ｃ）が図１８（Ａ）に示すＸＶＩＩＩＣ‐ＸＶＩＩＩＣ断面図である。回転軸挿入孔３４０は、側面視略円形状であり、嵌合雌凹部７６の下端部の円弧形状に対応した位置および寸法に形成される。回転軸挿入孔３４０は、図１８（Ｂ）（Ｃ）に示すように、その略中央部分が、ベース側板６０を左右方向に貫通する。
【００２２】
ベース背板９０は、図１６（Ａ）〜（Ｃ）に示すように、ベース側板６０の嵌合雌上端部７８の上端部の内面と同じ高さ方向の寸法を有し、正面側からみたとき、略矩形状である。
【００２３】
３．ケース本体１２０について
図１９〜２３は、この発明の一実施の形態に係る収納ケースが備えるケース本体を示す外観図であり、図１９が平面図、図２０が底面図、図２１が正面図、図２２が背面図、図２３が右側面図である。また、図２４は、ケース本体の図２２に示すＸＸＩＶ‐ＸＸＩＶ断面図である。また、図２５および図２６は、図１９に示す断面図であり、図１９（Ａ）がＸＸＶＡ‐ＸＸＶＡ断面図、図１９（Ｂ）がＸＸＶＢ‐ＸＸＶＢ断面図、図２６がＸＸＶＩ‐ＸＸＶＩ断面図である。ケース本体１２０は、平面視略四角形状の本体底板１４０（すなわち、小物収納部３２０の底板）と、本体底板１４０の右端辺（すなわち、小物収納部３２０の端縁）から立ち上がる本体側板１６０Ｒ（すなわち、小物収納部３２０の側板）と、本体底板１４０の左端辺から立ち上がる本体側板１６０Ｌ（同じく、小物収納部３２０の側板）と、本体底板１４０の前端辺から立ち上がる本体前板１８０（同じく、小物収納部３２０の側板）とを含む。すなわち、ケース本体１２０は、その上面および背面が開放された略箱型の形状である。
【００２４】
本体底板１４０には、その外面の右端辺に沿って前端部から後方に延びる一対の前後方向延在突部１４２Ｒが突設される。また、本体底板１４０には、その外面の左端辺に沿って前端部から後方に延びる一対の前後方向延在突部１４２Ｌが突設される。
【００２５】
本体側板１６０Ｒ，１６０Ｌは、左右対称の位置に立設され、互いに同様の形状を有する。したがって、ここでは本体側板１６０Ｒについてのみ説明し、本体側板１６０Ｌについての同様となる説明は繰り返さない。本体側板１６０Ｒは、図２３に示すようにその前端部から後方に延びる本体長手部１６２と、本体長手部１６２の後端部と一体的に形成される嵌合雄部１７０とを有する。
【００２６】
本体側板１６０Ｒの本体長手部１６２の外面には、図２１の正面図および図２５（Ｂ）の断面図などに示すように、左方に凹む本体長手凹部１６４が形成される。本体長手凹部１６４は、本体長手部１６２の外面の上下方向の中央よりも下側の位置を前後方向に一直線状に延びるように形成される。また、本体長手部１６２の外面には、その後端部の本体長手凹部１６４よりも上方の位置に、側面視略四角形状の第１の嵌合突部２６２が突設される。第１の嵌合突部２６２は、図１９の平面図に示すように、平面視したとき、その後端部に鋭角を有する略直角三角形である。
【００２７】
本体側板１６０Ｒの嵌合雄部１７０は、図１９の平面図および図２４の断面図に示すように、本体長手部１６２の後端部から前後方向に延びる。本体側板１６０Ｒの嵌合雄部１７０は、その左右方向の位置が、本体長手部１６２のそれよりもやや左側である。すなわち、ケース本体１２０の後端部の幅方向の寸法（すなわち、本体側板１６０Ｒの嵌合雄部１７０と、本体側板１６０Ｌの嵌合雄部１７０とからなる幅方向の寸法）は、ケース本体１２０の前端部から後端部近傍までの幅方向の寸法（すなわち、本体側板１６０Ｒの本体長手部１６２と、本体側板１６０Ｌの本体長手部１６２とからなる幅方向の寸法）よりも大きい。本体側板１６０Ｒの嵌合雄部１７０の上面と、本体側板１６０Ｌの嵌合雄部１７０の上面とには、左右方向に延びるように嵌合雄部天板１７２が架け渡される。すなわち、嵌合雄部天板１７２は、ケース本体１２０の後端部の上面を覆うように配設される。
【００２８】
本体前板１８０の右端辺には、左方に切り欠くように凹部連結切欠き部１８２Ｒが形成される。この凹部連結切欠き部１８２Ｒは、本体側板１６０Ｒに形成された本体長手凹部１６４と前後方向に連なるように形成される。同様に、本体前板１８０の左端辺には、右方に切り欠くように凹部連結切欠き部１８２Ｌが形成される。この凹部連結切欠き部１８２Ｌは、本体側板１６０Ｌに形成された本体長手凹部１６４と前後方向に連なるように形成される。
【００２９】
本体前板１８０の上面と、本体側板１６０Ｒの本体長手部１６２の前端部の上面と、本体側板１６０Ｒの本体長手部１６２の前端部の上面とには、左右方向に延びるように本体長手部前端天板１６８が架け渡される。すなわち、本体長手部前端天板１６８は、ケース本体１２０の前端部の上面を覆うように配設される。
【００３０】
４．蓋体２２０について
図２７〜３１は、この発明の一実施の形態に係る収納ケースが備える蓋体を示す外観図であり、図２７が平面図、図２８が底面図、図２９が正面図、図３０が背面図、図３１が右側面図である。また、図３２は、蓋体の図２７に示す断面図である。蓋体２２０は、平面視略四角形状の蓋天板２４０と、蓋天板２４０の右端辺から下方に延びる蓋側板２６０Ｒと、蓋天板２４０の左端辺から下方に延びる蓋側板２６０Ｌと、蓋天板２４０の前端辺から下方に延びる蓋前板２８０と、蓋天板２４０の後端辺から下方に延びる蓋背板２９０とを含む。すなわち、蓋体２２０は、その下面が開放された略箱型の形状である。
【００３１】
蓋体側板２６０Ｒ，２６０Ｌは、左右対称の位置に立設され、互いに同様の形状を有する。したがって、ここでは蓋体側板２６０Ｒについてのみ説明し、蓋体側板２６０Ｌについての同様となる説明は繰り返さない。蓋体側板２６０Ｒの内面の前後方向における略中央には、側面視略円形状の第２の嵌合突部１６６が突設される。
【００３２】
図３３は、この発明の一実施の形態に係る収納ケースが備える蓋体に形成される回転軸を示す拡大図である。図３３（Ａ）が外観拡大図、図３３（Ｂ）が図３２に示すＸＸＸＩＩＩＢ‐ＸＸＸＩＩＩＢ断面図、図３３（Ｃ）が図３２に示すＸＸＸＩＩＩＣ‐ＸＸＸＩＩＩＣ断面図である。蓋体側板２６０Ｒの内面の後端部には、回転軸３３０が突設される。回転軸３３０は、蓋側板２６０Ｒの内面に突設される土台部３３２と、土台部３３２の左面から突設される略円筒形状（側面視略円形状）の主軸部３３４と、主軸部３３４の先端において、下方の半円部分の外面に突設される主軸先端突部３３６とを有する。回転軸３３０は、主軸部３３４の略中央から土台部３３２まで一体的に軸孔３３８が形成される。
【００３３】
図３４は、この発明の一実施の形態に係る収納ケースが備える蓋体の図３１に示すＸＸＸＩＶ‐ＸＸＸＩＶ断面図である。図３１の右側面図および図３４の断面図に示すように、蓋側板２６０Ｒの外面の前端部近傍には、前後方向に直線状に延びる３つの蓋体把持凹部２６４ａ，２６４ｂ，２６４ｃが形成される。３つの蓋体把持凹部２６４ａ，２６４ｂ，２６４ｃは、蓋側板２６０Ｒの外面から左方に凹むように形成された凹部である。
【００３４】
蓋前板２８０は、図２９の正面図に示すように、その高さ方向の寸法が、蓋側板２６０Ｒ，２６０Ｌのそれよりも小さい。すなわち、蓋前板２８０の下端辺は、蓋側板２６０Ｒ，２６０Ｌの下端辺よりも上方に位置する。また、蓋前板２８０の下端辺の上下方向の位置は、蓋側板２６０Ｒ，２６０Ｌそれぞれの内面に突設される第２の嵌合突部１６６のそれとほぼ同じかやや上方である。蓋前板２８０には、その下端辺を上方に切り欠くように前板下端切欠き部２８２が形成される。前板下端切欠き部２８２は、蓋前板２８０の下端辺の左端部近傍から右端部近傍までの領域を左右方向に延びるように形成され、平面視略矩形状である。なお、前板下端切欠き部２８２の左端辺は、上方から下方に向けて左方向に傾斜している。同様に、前板下端切欠き部２８２の右端辺は、上方から下方に向けて右方向に傾斜している。
【００３５】
蓋背板２９０は、図３０の背面図に示すように、その高さ方向の寸法が、蓋側板２６０Ｒ，２６０Ｌのそれよりも小さい。すなわち、蓋背板２９０の下端辺は、蓋側板２６０Ｒ，２６０Ｌの下端辺よりも上方に位置する。また、蓋背板２９０の下端辺は、蓋側板２６０Ｒ，２６０Ｌそれぞれの内面に突設された回転軸３３０よりも上方に位置する。
【００３６】
５．ベース体、ケース本体および蓋体の係合について
図３５は、この発明の一実施の形態に係る収納ケースの蓋体を閉じた状態の平面図であり、３つの部材の係合状態を説明するための断面図の切断箇所を示した図である。また、図３６および図３７は、図３５に示す収納ケースの断面図であり、図３６（Ａ）がＸＸＸＶＩＡ‐ＸＸＸＶＩＡ断面図、図３６（Ｂ）がＸＸＸＶＩＢ‐ＸＸＸＶＩＢ断面図、図３７がＸＸＸＶＩＩ‐ＸＸＸＶＩＩ断面図である。さらに、図３８は、この発明の一実施の形態に係る収納ケースの蓋体を開いた状態の平面図であり、３つの部材の係合状態を説明するための断面図の切断箇所を示した図である。また、図３９は、図３８に示す収納ケースのＸＸＸＩＸ‐ＸＸＸＩＸ断面図である。
【００３７】
この実施の形態に係る収納ケース１０は、上記したベース体２０、ケース本体１２０および蓋体２２０を互いに係合して構成される。ここで、ベース体２０、ケース本体１２０および蓋体２２０を係合する手順について説明する。
【００３８】
まず、ベース体２０の内面と、ケース本体１２０の外面とを係合する。具体的には、ベース側板６０Ｒのベース長手上端部６８をその後端部からケース本体１２０の本体側板１６０Ｒの外面に形成された本体長手凹部１６４にスライドして挿し込み、且つベース側板６０Ｌのベース長手上端部６８をその後端部からケース本体１２０の本体側板１６０Ｌの外面に形成された本体長手凹部１６４にスライドして挿し込む。そして、ベース側板６０Ｒの後端部に形成された第１の嵌合孔７４と、蓋側板２６０Ｒの後端部に突設された第１の嵌合突部２６２とを嵌合させる。このようにして、ベース体２０の内面と、ケース本体１２０の外面とを係合する。このとき、ベース体２０のベース底板４０と、ケース本体１２０の本体底板１４０との間（すなわち、ベース体２０の内面と、ケース本体１２０の外面との間）には、薄状物５１０を挿し込んで収納するための薄状物収納部３１０が形成される。さらに、ケース本体１２０の本体底板１４０、右側の本体側板１６０Ｒおよび左側の本体側板１６０Ｌ、並びにベース体２０のベース背板９０により、コインなどの小物５２０を収納するための小物収納部３２０が形成される。
【００３９】
なお、ベース底板４０の内面に突設される外側突部４６Ｒと、本体底板１４０の外面に突設される前後方向延在突部１４２Ｒとは、前後方向にずれた位置となり、且つ図３６（Ｂ）の断面図に示すように、左右方向の位置がほぼ同じで、収納ケース１０を正面側から見たとき、上下方向に僅かな間隙のある状態で対向する。同様に、ベース底板４０の内面に突設される外側突部４６Ｌと、本体底板１４０の外面に突設される前後方向延在突部１４２Ｌとは、前後方向にずれた位置となり、且つ図３６（Ｂ）の断面図に示すように、左右方向の位置がほぼ同じで上下方向に僅かな間隙のある状態で対向する。
【００４０】
そして、ケース本体１２０の後端部に蓋体２２０の後端部を回転可能に取り付ける。具体的には、ベース側板６０Ｒに形成される回転軸挿入孔３４０に本体側板１６０Ｒの内面に突設される回転軸３３０を挿入し、且つベース側板６０Ｌに形成される回転軸挿入孔３４０に本体側板１６０Ｌの内面に突設される回転軸３３０を挿入する。このようにして、ケース本体１２０の後端部に蓋体２２０の後端部を回転可能に取り付ける。上記のようにして、ベース体２０、ケース本体１２０および蓋体２２０が互いに係合してなる収納ケース１０を得る。
【００４１】
なお、収納ケース１０の蓋体２２０を閉じて小物収納部３２０に蓋をしたとき、ベース側板６０Ｒに形成される第２の嵌合孔６５と、蓋側板１６０Ｒの内面に突設される第２の嵌合突部２６２とが嵌合し、且つベース側板６０Ｌに形成される第２の嵌合孔６５と、蓋側板１６０Ｌの内面に突設される第２の嵌合突部２６２とが嵌合する。このようにして、蓋体２２０は、小物収納部３２０に蓋をした状態に位置決めされる。
【００４２】
図４０は、この発明の一実施の形態に係る収納ケースが備える中敷きを示す図であり、図４０（Ａ）が第１の中敷きの平面図、図４０（Ｂ）が第２の中敷きの平面図、および図４０（Ｃ）が第３の中敷きの平面図である。上記のようにして得られた収納ケース１０には、小物収納部３２０の内面、および蓋天板２４０の底面に中敷きが設けられてもよい。具体的には、図４０（Ａ）に示す第１の中敷き４１０をケース本体１２０の内面に取り付け、図４０（Ｂ）に示す第２の中敷き４２０を蓋天板２４０の底面に取り付け、図４０（Ｃ）に示す第３の中敷き４３０をベース背板９０の内面に取り付ける。なお、第１の中敷き４１０は、平面視略矩形状の第１の中敷き底面部４１２と、第１の中敷き底面部４１２の右端辺に沿って前後方向に延びる第１の中敷き側面部４１４Ｒと、第１の中敷き底面部４１２の左端辺に沿って前後方向に延びる第１の中敷き側面部４１４Ｌと、第１の中敷き底面部４１２の前端辺に沿って左右方向に延びる第１の中敷き前面部４１６とを有する。
【００４３】
第１の中敷き底面部４１２は、本体底板１４０の内面に取り付けられる。また、第１の中敷き側面部４１４Ｒが、図中一点鎖線で示す折曲げ部４１８Ｒで直角に折り曲げられ、本体側板１６０Ｒの内面に取り付けられる。同様に、第１の中敷き側面部４１４Ｌが、図中一点鎖線で示す折曲げ部４１８Ｌで直角に折り曲げられ、本体側板１６０Ｌの内面に取り付けられる。同様に、第１の中敷き前面部４１６が、図中一点鎖線で示す折曲げ部４１８Ｆで直角に折り曲げられ、本体前板１８０の内面に取り付けられる。
【００４４】
６．収納ケースが奏する効果について
合成樹脂などからなる部材で上記した薄状物収納部３１０に相当する構造を製造する場合、金型を用いて製造することが考えられる。発明者は、薄状物収納部３１０に相当する構造を製造するための金型は、厚みの小さい穴を形成するための形状を有する必要があることに着目した。そして、このような金型を準備することが困難であり、量産し難いという課題を見出した。発明者は、鋭意検討した結果、ベース体２０と、ケース本体１２０（および／または蓋体２２０）とを組み合わせて薄状物収納部３１０を形成することに想到した。
【００４５】
この実施の形態に係る収納ケース１０は、小物収納部３２０が、ケース本体１２０の本体底板１４０、右側の本体側板１６０Ｒおよび左側の本体側板１６０Ｌ、並びにベース体２０のベース背板９０により形成された略箱型の形状であるため、小物収納部３２０の内部の任意の位置に小物５２０を収納することができる。すなわち、小物５２０を位置決めして特定位置に収納する必要がないため、小物５２０の収納量を多くすることができる。さらに、薄状物収納部３１０がベース体２０の内面と、ベース体２０の内面に対向するケース本体１２０の外面との間に形成されるため、小物５２０と薄状物５１０とを別々に収納することができる。また、金型成形がし易いため、量産が容易である。
【００４６】
さらに、この実施の形態に係る収納ケース１０は、ベース底板４０の内面（すなわち、ベース体２０の内面）に一対の外側突部４６Ｒ，４６Ｌ、および一対の内側突部４８Ｒ，４８Ｌが突設され、且つ本体底板１４０の外面（すなわち、ケース本体１２０の外面）に一対の前後方向延在突部１４２Ｒ，１４２Ｌが突設される。これらにより、薄状物収納部３１０に収納された薄状物５１０が抜け出てしまうことを防止することができる。
【００４７】
なお、前後方向延在突部１４２Ｒの左端部と、前後方向延在突部１４２Ｌの右端部との間の距離（寸法）は、身分証明カードの形状を定めた国際規格ＩＳＯ／ＩＥＣ７８１０  ＩＤ‐１（長手寸法８５．６０ｍｍ×幅寸法５３．９８ｍｍ×厚み寸法０．７６ｍｍ）の幅寸法５３．９８ｍｍとほぼ同じかやや大きい寸法であることが好ましい。より好ましくは、約５５．２ｍｍである。上記した国際規格は、クレジットカード、キャッシュカードおよびＩＣカードなどに広く慣用されている。したがって、前後方向延在突部１４２Ｒと、前後方向延在突部１４２Ｌとは、上記した距離だけ左右方向に離間して配設することにより、クレジットカード、キャッシュカード、ＩＣカードなどを薄状物収納部３１０に抜き差しする際、ガイドとして作用する。なお、内側突部４８Ｒ，４８Ｌそれぞれの上端部と、本体底板１４０の外面とが離間する距離は、上記した国際規格の厚み寸法０．７６ｍｍとほぼ同じかやや小さい寸法とすることが好ましい。
【００４８】
また、収納ケース１０を正面側から見たとき、上下方向において、外側突部４６Ｒと、前後方向延在突部１４２Ｒとの間に形成される僅かな寸法の間隙、および外側突部４６Ｌと、前後方向延在突部１４２Ｌとの間に形成される僅かな寸法の間隙は、定期券などの磁気カードに広く慣用されているサイバネ規格（長手寸法８５．０ｍｍ×幅寸法５７．５ｍｍ×厚み寸法０．２５ｍｍ）の厚み寸法０．２５ｍｍとほぼ同じかやや小さい寸法とすることが好ましい。これにより、一対の前後方向延在突部１４２Ｒ，１４２Ｌと、一対の外側突部４６Ｒ，４６Ｌとは、協働して、薄状物収納部３１０に収納された磁気カードなどが抜け出てしまうことを防止するように作用する。
【００４９】
上記した通りであるため、一対の前後方向延在突部１４２Ｒ，１４２Ｌは、薄状物収納部３１０にクレジットカード、キャッシュカードおよびＩＣカードなどを抜き差しする際にはガイドとして作用し、且つ薄状物収納部３１０に磁気カードなどを収納した際には抜け出しを防止するように作用する。
【００５０】
なお、薄状物収納部３１０の長手寸法は、上記した国際規格の長手寸法８５．６０ｍｍとほぼ同じかやや大きい寸法とすることが好ましい。また、ベース底板４０の内面と、本体底板１４０の外面との間の距離は、上記した国際規格の厚み寸法０．７６ｍｍとほぼ同じかやや大きい寸法とすることが好ましい。こうすることにより、薄状物収納部３１０は、平面視したとき、ベース側板６０Ｒの内面とベース背板９０の内面とにより形成される角部にＩＣカードや磁気カードなどの薄状物５１０の後端右側に位置する角部を対応させ、且つベース側板６０Ｌの内面とベース背板９０の内面とにより形成される角部にＩＣカードや磁気カードなどの薄状物５１０の後端左側に位置する角部を対応させた状態で薄状物５１０を収納できる。また、薄状物収納部３１０は、ＩＣカードや磁気カードなどの薄状物５１０の右端辺をベース側板６０Ｒの内面に平行に沿わせ、ＩＣカードや磁気カードなどの薄状物５１０の左端辺をベース側板６０Ｌの内面に平行に沿わせ、且つＩＣカードや磁気カードなどの薄状物５１０の後端辺をベース背板９０の内面に平行に沿わせた状態で、薄状物５１０を収納できる。したがって、上記した国際規格および／またはサイバネ規格の形状を有する薄状物５１０をよりコンパクトな状態で薄状物収納部３１０に収納することができる。
【００５１】
また、上記したように、この実施の形態に係る一対の外側突部４６Ｒ，４６Ｌの高さ方向の寸法は、一対の内側突部４８Ｒ，４８Ｌのそれよりも大きく形成される。したがって、一対の外側突部４６Ｒ，４６Ｌは、磁気カードを含む比較的厚みの小さい薄状物５１０を薄状物収納部３１０に収納した際、そのような薄状物５１０が薄状物収納部３１０から抜け出てしまうことを防止するのに有効である。また、一対の内側突部４８Ｒ，４８Ｌは、ＩＣカードを含む比較的厚みの大きい薄状物５１０を薄状物収納部３１０に収納した際、そのような薄状物５１０が薄状物収納部３１０から抜け出てしまうことを防止するのに有効である。
【００５２】
また、上記したように、この実施の形態に係る一対の外側突部４６Ｒ，４６Ｌおよび一対の内側突部４８Ｒ，４８Ｌ、並びに一対の前後方向延在突部１４２Ｒ，１４２Ｌのそれぞれは、その外面が滑らかに湾曲した形状である。したがって、薄状物収納部３１０への薄状物５１０の抜き差しをスムーズに行うことができ、且つ薄状物収納部３１０から抜き差しする際に薄状物５１０が傷むことを抑制することができる。
【００５３】
さらに、この実施の形態に係る収納ケース１０は、小物収納部３２０の底面に薄状物収納部３１０が形成される。したがって、例えば、ＩＣカードや磁気カードを薄状物収納部３１０に予め収納していた場合、小物収納部３２０に小物５２０を収納して蓋体２２０を閉じたあと、収納ケース１０を把持してそのままカードリーダーに接近または接触させることにより、カードリーダーに薄状物収納部３１０を接触または接近させることができる。したがって、この実施の形態に係る収納ケース１０は、特に、ＩＣカードや磁気カードを薄状物収納部３１０に収納して用いる場合において使い勝手が良好である。
【００５４】
さらに、この実施の形態に係る収納ケース１０は、蓋体２２０が、ベース体２０に回動可能に取り付けられる。したがって、小物収納部３２０の開け閉めが容易であり、使い勝手が良好である。
【００５５】
さらに、この実施の形態に係る収納ケース１０は、ベース底板４０に長孔４２が形成される。したがって、例えば、長孔４２に指を入れて薄状物５１０を前方にスライドすることにより、薄状態収納部３１０に収納された薄状物５１０を容易に取り出すことができるため、使い勝手が良好である。
【００５６】
さらに、この実施の形態に係る収納ケース１０は、蓋側板２６０Ｒ，２６０Ｌの外面に形成された蓋体把持凹部２６４ａ，２６４ｂ，２６４ｃは、蓋体２２０を把持して開け閉めする際に滑り止めとして作用するため、蓋体２２０の開け閉めが容易となる。
【００５７】
なお、上記した実施の形態では、薄状物収納部３１０が、ベース体２０の内面と、ベース体２０の内面に対向するケース本体１２０の外面との間に形成される場合について説明した。しかしながら、この場合に限られず、ベース体２０の内面に対向するように蓋体２２０の外面を配設することにより、薄状物収納部３１０が、ベース体２０の内面と、ベース体２０の内面に対向する蓋体２２０の外面との間に形成されるように構成してもよい。このとき、薄状物収納部３１０は、蓋体２２０の上面に形成されることが好ましい。このような場合、蓋天板２４０の内面（蓋体２２０の内面）に一対の外側突部４６Ｒ，４６Ｌ、および一対の内側突部４８Ｒ，４８Ｌが突設されてもよい。また、例えば、回転軸３３０を本体側板１６０Ｒ，１６０Ｌそれぞれの外面から突設し、且つ回転軸挿入孔３４０をベース側板６０Ｒ，６０Ｌに形成するようにしてもよい。
【００５８】
なお、適宜に２つのベース体２０を配設することにより、２つの薄状物収納部３１０が形成されてもよい。すなわち、収納ケース１０は、ベース体２０の内面と、ベース体２０の内面に対向するケース本体１２０の外面との間に形成される薄状物収納部３１０、およびベース体２０の内面と、ベース体２０の内面に対向するケース本体１２０の外面との間に形成される薄状物収納部３１０の双方を有するように構成されてもよい。
【００５９】
なお、上記した実施の形態では、蓋側板２６０Ｒ，２６０Ｌそれぞれの内面に回転軸３３０が突設され、且つベース側板６０Ｒ，６０Ｌそれぞれに回転軸挿入孔３４０が形成される場合について説明した。しかしながら、この場合に限られず、回転軸３３０が突設される部材と、回転軸挿入孔３４０が形成される部材を入れ替えても良い。すなわち、ベース側板６０Ｒ，６０Ｌそれぞれの外面に回転軸３３０が突設され、且つ蓋側板２６０Ｒ，２６０Ｌそれぞれに回転軸挿入孔３４０が形成されてもよい。
【００６０】
なお、上記した実施の形態では、一対の外側突部４６Ｒ，４６Ｌおよび一対の内側突部４８Ｒ，４８Ｌの双方を設ける場合について説明したが、一対の外側突部４６Ｒ，４６Ｌのみを突設するようにしてもよいし、一対の内側突部４８Ｒ，４８Ｌのみを突設するようにしてもよい。これにより、収納ケース１０の製造が容易となる。また、一対の外側突部４６Ｒ，４６Ｌおよび一対の内側突部４８Ｒ，４８Ｌを両方とも設けなくてもよい。これにより、収納ケース１０の製造がより容易となる。また、ベース底板４０の内面（すなわち、ベース体２０の内面）および／または本体底板１４０の外面（すなわち、ケース本体１２０の外面）の幅方向の略中央に、一つまたは前後方向に並ぶ複数の突部を設け、これにより薄状物収納部３１０からの薄状物５１０の抜け出しを防止するようにしてもよい。
【００６１】
なお、上記した実施の形態では、ベース底板４０に長孔４２が形成される場合について説明したが、ベース底板４０に長孔４２が形成されなくてもよい。こうすることにより、収納ケース１０の製造が容易となる。
【００６２】
なお、上記した実施の形態では、平面視したとき、薄状物収納部３１０の面積が、小物収納部３２０のそれよりもやや大きく形成される場合について説明した。しかしながら、この場合に限られず、平面視したとき、薄状物収納部３１０の面積は、小物収納部３２０のそれと同じに形成されてもよいし、小物収納部３２０のそれより小さく形成されてもよい。
【００６３】
なお、上記した実施の形態では、ベース体２０、ケース本体１２０および蓋体２２０のそれぞれが、例えば、ＡＢＳ樹脂などの合成樹脂を原料として金型成形される場合を説明した。しかしながら、この場合に限られず、ベース体２０、ケース本体１２０および蓋体２２０のそれぞれは、アルミニウムなどの金属やその他の金型成形に適した原料で形成されてもよい。なお、ベース体２０、ケース本体１２０および蓋体２２０のそれぞれは、アルミニウムを原料とする場合、アルミダイキャストにより形成することが好ましい。なお、ベース体２０、ケース本体１２０および蓋体２２０のそれぞれは、互いに異なる原料で形成されてもよい。
【００６４】
なお、収納ケース１０は、手さげ袋や衣服のポケットなどに収納できる程度の携帯に適した大きさ（体積）であることが好ましい。
【００６５】
なお、小物収納部３２０に収納する小物３１０は、コインに限らず、例えば、ＳＤカード、ＵＳＢメモリーなどであってもよいし、紙幣、レシートなどを折り畳んで収納するようにしてもよい。また、薄状物収納部３１０に収納する薄状物５１０は、カードに限らず、定期券、レシート、紙幣などであってもよいし、ＳＤカードなどであってもよい。
【００６６】
７．他の実施の形態について
以下、この発明の他の実施の形態に係る収納ケースについて、図面を参照しながら説明する。図４１〜５７は、この発明の他の実施の形態に係る収納ケースを示す図である。図４１は、この発明の他の実施の形態に係る収納ケースの蓋体を開いた状態の斜視図である。図４２は、この発明の他の実施の形態に係る収納ケースの蓋体を開いた状態の平面図である。なお、上記した一実施の形態に係る収納ケースと同様の構成についての説明は適宜省略する。
【００６７】
この実施の形態に係る収納ケース１０は、ケース体と、ケース体に取り付けられた蓋体（蓋体２２０）と、蓋体収納部を構成するクッション体４４０とを備える。ケース体は、ベース体２０と、ケース本体１２０とを備える。ベース体２０、ケース本体１２０および蓋体２２０のそれぞれは、例えば、ＡＢＳ樹脂などの合成樹脂を原料として金型成形される。ケース体は、小物収納部３２０と薄状物収納部３１０とから構成されるケース体収納部を有する。ケース本体１２０の本体底板１４０、右側の本体側板１６０Ｒおよび左側の本体側板１６０Ｌ、並びにベース体２０のベース背板９０により、小物収納部３２０が形成される。したがって、小物収納部３２０は、その上面に平面視略四角形状の開口３８０を有する略箱型の形状である。小物収納部３２０は、図４１中に二点鎖線で示すコインなどの小物５２０を収納するために設けられる。また、ベース体２０のベース底板４０と、ケース本体１２０の本体底板１４０との間には、カードなどの薄状物５１０を挿し込んで収納するための薄状物収納部３１０が形成される。なお、薄状物収納部３１０の高さ方向の寸法は、小物収納部３２０のそれよりも小さい。蓋体２２０は、小物収納部３２０の開口３８０に蓋をするために設けられる。
【００６８】
なお、以下の説明において、収納ケース１０は、薄状物５１０の挿入口側の面を前面（正面）とする。また、正面に対向する面を背面とする。前後方向（長手方向）とは、薄状物収納部３１０に薄状物５１０を挿し込んだり抜き出したりする方向のことである。そして、また、左右方向（幅方向）とは、収納ケース１０を正面側から見たときの左右方向のことである。また、上下方向（高さ方向）とは、前後方向と左右方向の両方に直交する方向のことである。
【００６９】
クッション体４４０は、蓋体２２０を閉じたとき、小物５２０が小物収納部３２０の内部で揺動することを抑制するため、さらに、クッション体４４０の内部にお札などの薄状物を収納するために設けられる。クッション体４４０は、クッション性（可撓性および弾力性）を有した合成樹脂により成形される。クッション体４４０は、蓋天板２４０の内面に取り付けられる。クッション体４４０は、蓋体２２０に取り付けられた状態において、蓋前板２８０と蓋背板２９０とを結ぶ方向に延びる軸孔を有した筒状に形成される。クッション体４４０の下端縁は、蓋天板２４０の内面の下方部分に突設された第１の突起部２５２および第２の突起部２５４よりもやや上方を左右方向に延びる。また、クッション体４４０の上端縁は、蓋前板２８０と所望の距離だけ離間して左右方向に延びる。クッション体４４０の左端縁は、左側の蓋側板２６０Ｌに沿って上下方向に延びる。クッション体４４０の右端縁は、右側の蓋側板２６０Ｒに沿って上下方向に延びる。クッション４４０は、蓋体２２０を閉じたとき小物収納部３２０の底部（本体底板１４０）に撓んだ状態で当接するように蓋体２２０の内部に取り付けられる。
【００７０】
収納ケース１０は、蓋体２２０を閉じた状態のとき、略直方体形状となる。そして、蓋体２２０は、右側面側から見たとき、その後端部の回転軸３３０により、前後方向と上下方向が直交する平面において回転可能である。具体的には、蓋体２２０は、小物収納部３２０の開口３２８を閉じた状態からその後端部の回転軸３３０を中心に右側面から見て時計回りに回転することにより、小物収納部３２０の開口３２８を開いた状態にする。逆に、蓋体２２０は、小物収納部３２０の開口３２８を開いた状態からその後端部の回転軸３３０を中心に右側面から見て反時計回りに回転することにより、小物収納部３２０の開口３２８を閉じた状態にする。
【００７１】
ベース体２０は、平面視略四角形状のベース底板４０と、ベース底板４０の右端辺から立ち上がるベース側板６０Ｒと、ベース底板４０の左端辺から立ち上がるベース側板６０Ｌと、ベース底板４０の後端辺から立ち上がるベース背板９０（すなわち、小物収納部３２０の側板）とを含む。すなわち、ベース体２０は、その上面および前面が開放された略箱型の形状である。
【００７２】
ベース底板４０には、長孔４２と、底板前端切欠き部４４とが形成される。長孔４２は、ベース底板４０の左右方向の略中央を前後方向に延びるように形成され、平面視略矩形状である。長孔４２の前端部は、前方に湾曲した円弧状に形成される。同様に、長孔４２の後端部は、後方に湾曲した円弧状に形成される。長孔４２は、ベース底板４０を上下方向に貫通する。
【００７３】
底板前端切欠き部４４は、ベース底板４０の前端辺を後方に切欠くように形成される。底板前端切欠き部４４は、ベース底板４０の前端辺の左端部近傍から右端部近傍までの領域を左右方向に延びるように形成され、平面視略矩形状である。なお、底板前端切欠き部４４の左端辺は、後方から前方に向けて左方向に傾斜している。同様に、底板前端切欠き部４４の右端辺は、後方から前方に向けて右方向に傾斜している。
【００７４】
ベース底板４０の内面には、一対の外側突部４６Ｒ，４６Ｌと、一対の内側突部４８Ｒ，４８Ｌとが突設される。なお、一対の外側突部４６Ｒ，４６Ｌは、左右対称の位置に突設され、互いに同様の形状を有する。同様に、一対の内側突部４８Ｒ，４８Ｌは、左右対称の位置に突設され、互いに同様の形状を有する。したがって、ここでは外側突部４６Ｒ、内側突部４８Ｒについてのみ説明し、外側突部４６Ｌ、内側突部４８Ｌの同様となる説明は繰り返さない。
【００７５】
外側突部４６Ｒは、その前後方向の位置が長孔４２の後端部の位置とほぼ同じであり、その左右方向の位置がベース底板４０の右端辺に沿った位置である。外側突部４６Ｒは、平面視略四角形状であり、ベース底板４０の内面から上方に滑らかに湾曲した側面視略円弧状に形成される。内側突部４８Ｒは、長孔４２の右端辺の後端部近傍に突設される。内側突部４８Ｒは、滑らかに湾曲した略半球形状である。内側突出部４８Ｒは、その上下方向の寸法が、外側突部４６Ｒのそれよりも小さい。
【００７６】
ベース側板６０Ｒ，６０Ｌは、左右対称の位置に立設され、互いに同様の形状を有する。したがって、ここではベース側板６０Ｒについてのみ説明し、ベース側板６０Ｌについての同様となる説明は繰り返さない。ベース側板６０Ｒは、その前端部から後方に延びるベース長手部６２と、ベース長手部６２の後端部と一体的に形成され、且つベース長手部６２よりも上下方向の寸法が大きい嵌合雌部７０とを有する。
【００７７】
ベース側板６０Ｒのベース長手部６２は、正面側から見たとき、略Ｃ字形状を有する。すなわち、ベース側板６０Ｒのベース長手部６２は、ベース底板４０の右端辺から上方に立ち上がるベース長手基部６４と、ベース長手基部６４の下端辺から左方に立ち上がるベース長手下端部６６と、ベース長手基部６４の上端辺から左方に立ち上がるベース長手上端部６８とを有する。ベース長手基部６４の前後方向の略中央には、側面視略円形状の第２の嵌合孔６５が形成される。第２の嵌合孔６５は、ベース長手部６２を左右方向に貫通する。
【００７８】
ベース側板６０Ｒの嵌合雌部７０は、ベース底板４０の右端辺の後端部から上方に立ち上がる嵌合雌基部７２と、嵌合雌基部７２の上端辺から左方に屈曲する嵌合雌上端部７８とを有する。嵌合雌基部７２の前端部のベース長手部６２よりも上方の位置には、側面視略四角形状の第１の嵌合孔７４が形成される。第１の嵌合孔７４は、嵌合雌基部７２を左右方向に貫通する。嵌合雌基部７２の外面の第１の嵌合孔７４よりも後方の上端部から下端部近傍までの領域には、左方に凹む嵌合雌凹部７６が形成される。嵌合雌凹部７６の下端部は、下方に湾曲した円弧状に形成される。嵌合雌凹部７６の下端部には、後述する蓋体２２０の回転軸３３０を嵌合するための回転軸挿入孔３４０が形成される。
【００７９】
回転軸挿入孔３４０は、側面視略円形状であり、嵌合雌凹部７６の下端部の円弧形状に対応した位置および寸法に形成される。回転軸挿入孔３４０は、その略中央部分が、ベース側板６０を左右方向に貫通する。
【００８０】
ベース背板９０は、ベース側板６０の嵌合雌上端部７８の上端部の内面と同じ高さ方向の寸法を有し、正面側からみたとき、略矩形状である。
【００８１】
この発明の他の実施の形態に係る収納ケースが備えるケース本体について、図４３および４４に基づいて説明する。図４３は、この発明の他の実施の形態に係る収納ケースが備えるケース本体の平面図である。図４４は、この発明の他の実施の形態に係る収納ケースが備えるケース本体の図４３に示すＸＸＸＸＩＶ−ＸＸＸＸＩＶ断面図である。ケース本体１２０は、平面視略四角形状の本体底板１４０（すなわち、小物収納部３２０の底板）と、本体底板１４０の右端辺（すなわち、小物収納部３２０の端縁）から立ち上がる本体側板１６０Ｒ（すなわち、小物収納部３２０の側板）と、本体底板１４０の左端辺から立ち上がる本体側板１６０Ｌ（同じく、小物収納部３２０の側板）と、本体底板１４０の前端辺から立ち上がる本体前板１８０（同じく、小物収納部３２０の側板）とを含む。すなわち、ケース本体１２０は、その上面および背面が開放された略箱型の形状である。
【００８２】
本体底板１４０には、その外面の右端辺に沿って前端部から後方に延びる一対の前後方向延在突部１４２Ｒが突設される。また、本体底板１４０には、その外面の左端辺に沿って前端部から後方に延びる一対の前後方向延在突部１４２Ｌが突設される。
【００８３】
本体側板１６０Ｒ，１６０Ｌは、左右対称の位置に立設され、互いに同様の形状を有する。したがって、ここでは本体側板１６０Ｒについてのみ説明し、本体側板１６０Ｌについての同様となる説明は繰り返さない。本体側板１６０Ｒは、その前端部から後方に延びる本体長手部１６２と、本体長手部１６２の後端部と一体的に形成される嵌合雄部１７０とを有する。
【００８４】
本体側板１６０Ｒの本体長手部１６２の外面には、左方に凹む本体長手凹部１６４が形成される。本体長手凹部１６４は、本体長手部１６２の外面の上下方向の中央よりも下側の位置を前後方向に一直線状に延びるように形成される。また、本体長手部１６２の外面には、その後端部の本体長手凹部１６４よりも上方の位置に、側面視略四角形状の第１の嵌合突部２６２が突設される。第１の嵌合突部２６２は、平面視したとき、その後端部に鋭角を有する略直角三角形である。
【００８５】
本体側板１６０Ｒの嵌合雄部１７０は、本体長手部１６２の後端部から前後方向に延びる。本体側板１６０Ｒの嵌合雄部１７０は、その左右方向の位置が、本体長手部１６２のそれよりもやや左側である。すなわち、ケース本体１２０の後端部の幅方向の寸法（すなわち、本体側板１６０Ｒの嵌合雄部１７０と、本体側板１６０Ｌの嵌合雄部１７０とからなる幅方向の寸法）は、ケース本体１２０の前端部から後端部近傍までの幅方向の寸法（すなわち、本体側板１６０Ｒの本体長手部１６２と、本体側板１６０Ｌの本体長手部１６２とからなる幅方向の寸法）よりも大きい。本体側板１６０Ｒの嵌合雄部１７０の上面と、本体側板１６０Ｌの嵌合雄部１７０の上面とには、左右方向に延びるように嵌合雄部天板１７２が架け渡される。すなわち、嵌合雄部天板１７２は、ケース本体１２０の後端部の上面を覆うように配設される。
【００８６】
本体前板１８０の右端辺には、左方に切り欠くように凹部連結切欠き部１８２Ｒが形成される。この凹部連結切欠き部１８２Ｒは、本体側板１６０Ｒに形成された本体長手凹部１６４と前後方向に連なるように形成される。同様に、本体前板１８０の左端辺には、右方に切り欠くように凹部連結切欠き部１８２Ｌが形成される。この凹部連結切欠き部１８２Ｌは、本体側板１６０Ｌに形成された本体長手凹部１６４と前後方向に連なるように形成される。
【００８７】
本体前板１８０の上面と、本体側板１６０Ｒの本体長手部１６２の前端部の上面と、本体側板１６０Ｒの本体長手部１６２の前端部の上面とには、左右方向に延びるように本体長手部前端天板１６８が架け渡される。すなわち、本体長手部前端天板１６８は、ケース本体１２０の前端部の上面を覆うように配設される。
【００８８】
この実施の形態に係るケース本体１２０の本体長手部前端天板１６８の上面には、天板凹部１６９が形成される。天板凹部１６９は、平面視したとき、左右方向に延びた略四角形状であり、その前端縁が本体長手部前端天板１６８の前端縁に沿って略直線状に延び、その左端縁および右端縁が前端縁から本体長手部前端天板１６８の後端縁まで略直線状に延びた形状である。
【００８９】
この発明の他の実施の形態に係る収納ケースが備える蓋体について、図４５〜４８に基づいて説明する。図４５は、この発明の他の実施の形態に係る収納ケースが備える蓋体を示す底面図である。図４６は、この発明の他の実施の形態に係る収納ケースが備える蓋体の図４５に示すＸＸＸＸＶＩ−ＸＸＸＸＶＩ断面図である。図４７は、この発明の他の実施の形態に係る収納ケースが備える蓋体の図４５に示すＸＸＸＸＶＩＩ−ＸＸＸＸＶＩＩ断面図である。図４８は、この発明の他の実施の形態に係る収納ケースが備える蓋体の図４５に示すＸＸＸＸＶＩＩＩ−ＸＸＸＸＶＩＩＩ断面図である。
【００９０】
蓋体２２０は、平面視略四角形状の蓋天板２４０と、蓋天板２４０の右端辺から下方に延びる蓋側板２６０Ｒと、蓋天板２４０の左端辺から下方に延びる蓋側板２６０Ｌと、蓋天板２４０の前端辺から下方に延びる蓋前板２８０と、蓋天板２４０の後端辺から下方に延びる蓋背板２９０とを含む。すなわち、蓋体２２０は、その下面が開放された略箱型の形状である。
【００９１】
蓋体側板２６０Ｒ，２６０Ｌは、左右対称の位置に立設され、互いに同様の形状を有する。したがって、ここでは蓋体側板２６０Ｒについてのみ説明し、蓋体側板２６０Ｌについての同様となる説明は繰り返さない。蓋体側板２６０Ｒの内面の前後方向における略中央には、側面視略円形状の第２の嵌合突部１６６が突設される。
【００９２】
蓋体側板２６０Ｒの内面の後端部には、回転軸３３０が突設される。回転軸３３０は、蓋側板２６０Ｒの内面に突設される土台部３３２と、土台部３３２の左面から突設される略円筒形状（側面視略円形状）の主軸部３３４と、主軸部３３４の先端において、下方の半円部分の外面に突設される主軸先端突部３３６とを有する。回転軸３３０は、主軸部３３４の略中央から土台部３３２まで一体的に軸孔３３８が形成される。
【００９３】
蓋側板２６０Ｒの外面の前端部近傍には、前後方向に直線状に延びる２つの蓋体把持凹部２６４ａ，２６４ｂが形成される。２つの蓋体把持凹部２６４ａ，２６４ｂは、蓋側板２６０Ｒの外面から左方に凹むように形成された凹部である。
【００９４】
蓋前板２８０は、その高さ方向の寸法が、蓋側板２６０Ｒ，２６０Ｌのそれよりも小さい。すなわち、蓋前板２８０の下端辺は、蓋側板２６０Ｒ，２６０Ｌの下端辺よりも上方に位置する。また、蓋前板２８０の下端辺の上下方向の位置は、蓋側板２６０Ｒ，２６０Ｌそれぞれの内面に突設される第２の嵌合突部１６６のそれとほぼ同じかやや上方である。蓋前板２８０には、その下端辺を上方に切り欠くように前板下端切欠き部２８２が形成される。前板下端切欠き部２８２は、蓋前板２８０の下端辺の左端部近傍から右端部近傍までの領域を左右方向に延びるように形成され、平面視略矩形状である。なお、前板下端切欠き部２８２の左端辺は、上方から下方に向けて左方向に傾斜している。同様に、前板下端切欠き部２８２の右端辺は、上方から下方に向けて右方向に傾斜している。
【００９５】
蓋背板２９０は、その高さ方向の寸法が、蓋側板２６０Ｒ，２６０Ｌのそれよりも小さい。すなわち、蓋背板２９０の下端辺は、蓋側板２６０Ｒ，２６０Ｌの下端辺よりも上方に位置する。また、蓋背板２９０の下端辺は、蓋側板２６０Ｒ，２６０Ｌそれぞれの内面に突設された回転軸３３０よりも上方に位置する。
【００９６】
この実施の形態に係る蓋天板２４０の内面には、クッション体４４０を係合するための第１の係合雄部２４２、第２の係合雄部２４４、第３の係合雄部２４６、および第４の係合雄部２４６が突設される。第１の係合雄部２４２と第２の係合雄部２４４とは、底面視したとき、蓋天板２４０の内面の左右方向における中央を前後方向に延びる中心線と、右側の蓋側板２６０Ｒとの間を前後方向に並んで配設される。第１の係合雄部２４２は、蓋天板２４０の内面から下方へと突設された根元部２４２ａと、根元部２４２ａの下端部から屈曲して左方へと延びる先端部２４２ｂとを有する。根元部２４２ａおよび先端部２４２ｂは、前後方向に所定の寸法を有する。第２の係合雄部２４４は、根元部２４４ａおよび先端部２４４ｂを有する。なお、第２の係合雄部２４４は、第１の係合雄部２４２と同じ構成を有するため、ここでは同様となる説明を繰り返さない。また、第３の係合雄部２４６は、底面視したとき、蓋天板２４０の内面の左右方向における中央を通る前後方向と上下方向が交わる平面に関して面対称であり、同様の構成を有する。また、第４の係合雄部２４８は、蓋天板２４０の内面の左右方向における中央を通る前後方向と上下方向が交わる平面に関して面対称であり、同様の構成を有する。したがって、ここでは第３の係合雄部２４６および第４の係合雄部２４８の同様となる説明を繰り返さない。
【００９７】
この実施の形態に係る蓋天板２４０の内面には、さらに、第１の突起部２５２および第２の突起部２５４が突設される。第１の突起部２５２は、第２の係合雄部よりも後方に左右方向に延びて突設され、略板状である。第２の突起部２５４は、蓋天板２４０の内面の左右方向における中央を通る前後方向と上下方向が交わる平面に関して面対称であり、同様の構成を有する。
【００９８】
この発明の他の実施の形態に係る収納ケースが備えるクッション体４４０について、図４９〜５４に基づいて説明する。図４９は、この発明の他の実施の形態に係る収納ケースが備えるクッション体の正面図である。図５０は、この発明の他の実施の形態に係る収納ケースが備えるクッション体の背面図である。図５１は、この発明の他の実施の形態に係る収納ケースが備えるクッション体の平面図である。図５２は、この発明の他の実施の形態に係る収納ケースが備えるクッション体の底面図である。図５３は、この発明の他の実施の形態に係る収納ケースが備えるクッション体の図５２に示すＬＩＩＩ部拡大図である。図５４は、この発明の他の実施の形態に係る収納ケースが備えるクッション体の図５２に示すＬＩＶ−ＬＩＶ断面図である。図５５は、この発明の他の実施の形態に係る収納ケースが備えるクッション体の図５２に示すＬＶ−ＬＶ断面図である。なお、以下のクッション体４４０に関する説明において、クッション体４４０を蓋体２２０の内面に係合した状態を蓋体２２０の内面側から見たときを正面視とし、蓋体２２０の蓋前板２８０の側から見たときを平面視とする。
【００９９】
クッション体４４０は、蓋体２２０を閉じたとき、小物５２０が小物収納部３２０の内部で揺動することを抑制するため、さらに、クッション体４４０の内部に、例えば、折り畳んだお札やその他の薄状物を収納するために設けられる。
【０１００】
クッション体４４０は、可撓性および弾力性を有した合成樹脂などにより形成される。クッション体４４０は、筒状であり、その底部にはクッション体底開口部４９２が形成され、その天部にはクッション体展開後部４９４が形成される。クッション体４４０は、蓋体２２０の内面に係合される正面視略四角形状で且つ平板状のクッション体背部４５０と、クッション体背部４５０の左端縁に接続され、略左前方向へと延びるように形成された正面視略四角形状で且つ平板状の第１のクッション体側部４６４と、第１のクッション体側部４６４の左端縁に接続され、略右前方向へと延びるように形成された正面視略四角形状で且つ平板状の第２のクッション体側部４６８と、クッション体背部４５０の右端縁に接続され、略右前方向へと延びるように形成された正面視略四角形状で且つ平板状の第３のクッション体側部４７２と、第３のクッション体側部４７２の右端縁に接続され、略左前方向へと延びるように形成された正面視略四角形状で且つ平板状の第４のクッション体側部４７６と、第２のクッション体側部４６８と第４のクッション体側部４７６とを架橋するように、クッション体背部４５０と相対して平行に延びるように形成された正面視略四角形状で且つ平板状のクッション体前部４８０とを含む。
【０１０１】
クッション体背部４５０には、前後方向（厚み方向）において貫通する孔として、第１の係合雌部４５２と、第２の係合雌部４５４と、第３の係合雌部４５６と、第４の係合雌部４５８とが形成される。第１の係合雌部４５２は、クッション体背部４５０の下端縁の近傍であり、且つ左右方向の略中央を上下方向に沿って延びる中央線と左端縁との間を上下方向に延びるように形成される。第２の係合雌部４５４は、クッション体背部４５０の上端縁の近傍であり、且つ左右方向の略中央を上下方向に沿って延びる中央線と左端縁との間を上下方向に延びるように形成される。第２の係合雌部４５４は、左右方向において、第１の係合雌部４５２と同じ位置に形成される。第２の係合雌部４５４の形状は、第１の係合雌部４５２の形状と同じである。第３の係合雌部４５６は、クッション体背部４５０の左右方向の略中央を通る上下方向と前後方向とが交わる平面に関して、第１の係合雌部４５２と面対象であり、同じ構成を有する。同様に、第４の係合雌部４５８は、クッション体背部４５０の左右方向の略中央を通る上下方向と前後方向とが交わる平面に関して、第２の係合雌部４５４と面対象であり、同じ構成を有する。したがって、ここでは第３の係合雌部４５６および第４の係合雌部４５８の同様となる説明は繰り返さない。
【０１０２】
第１のクッション体側部４６４は、正面視略四角形状である。第１のクッション体側部４６４の上下方向の寸法は、クッション体背部４５０の上下方向の寸法と同じである。第１のクッション体側部４６４の下端縁および上端縁は、それぞれ、上下方向において、クッション体背部４５０の下端縁および上端縁と同じ位置である。第１のクッション体側部４６４の右端縁は、クッション体接続部４８４ａにより、クッション体背部４５０の左端縁に接続される。このクッション体接続部４８４ａは、クッション体背部４５０と第１のクッション体側部４６４との間を上下方向に略直線状に延びる。クッション体接続部４８４ａの厚みは、クッション体背部４５０および第１のクッション体側部４６４の厚みよりも薄い。
【０１０３】
第２のクッション体側部４６８は、正面視略四角形状である。第２のクッション体側部４６８の上下方向の寸法は、第１のクッション体側部４６４（およびクッション体背部４５０）の上下方向の寸法よりもやや小さい。第２のクッション体側部４６８の下端縁は、上下方向において、第１のクッション体側部４６４（およびクッション体背部４５０）の下端縁と同じ位置である。第２のクッション体側部４６８の上端縁の左端部は、第１のクッション体側部４６４の上端縁よりもやや下方に位置する。また、第２のクッション体側部４６８の上端縁の右端部は、第２のクッション体側部４６８の上端縁の左端部よりもさらにやや下方に位置する。すなわち、第２のクッション体側部４６８の上端縁は、その左端部から右端部に向かって正面視略右下方向へと直線状に傾斜する。第２のクッション体側部４６８には、正面視略四角形状の第１のクッション体側孔部４７０が形成される。この第１のクッション体側孔部４７０は、第２のクッション体側部４６８の左端縁と右端縁とを結ぶように形成される。第２のクッション体側部２６８の左端縁は、クッション体接続部４８４ｂおよび４８４ｃにより、第１のクッション体側部４６４の左端縁に接続される。クッション体接続部４８４ｂは、第１のクッション体接側部４６４と第２のクッション体側部４６８との間の第１のクッション体側孔部４７０よりも下方部分を略直線状に延びる。クッション体接続部４８４ｃは、第１のクッション体接側部４６４と第２のクッション体側部４６８との間の第１のクッション体側孔部４７０よりも上方部分を略直線状に延びる。
【０１０４】
第３のクッション体側部４７２は、クッション体４４０の左右方向の略中央を通る上下方向と前後方向が交わる平面に関して、第１のクッション体側部４６４と面対象であり、同じの構成を有するため、ここでは同様となる説明を繰り返さない。なお、第３のクッション体側部４７２の左端縁は、クッション体接続部４８４ｆによって、クッション体背部４５０の右端縁に接続される。同様に、第４のクッション体側部４７６は、クッション体４４０の左右方向の略中央を通る上下方向と前後方向が交わる平面に関して、第２のクッション体側部４６８と面対象であり、同じ構成を有するため、ここでは同様となる説明を繰り返さない。なお、第４のクッション体側部４７６には、第２のクッション体側部４６８に形成された第１のクッション体側孔部４７０に対応する構成として、第２のクッション体側孔部４７８が形成される。また、第４のクッション体側部２７６の右端縁は、クッション体接続部４８４ｇおよび４８４ｈにより、第３のクッション体側部４７２の右端縁に接続される。クッション体接続部４８４ｇは、第３のクッション体接側部４７２と第４のクッション体側部４７６との間の第２のクッション体側孔部４７８よりも下方部分を略直線状に延びる。クッション体接続部４８４ｈは、第３のクッション体接側部４７２と第４のクッション体側部４７６との間の第２のクッション体側孔部４７８よりも上方部分を略直線状に延びる。
【０１０５】
クッション体前部４８０は、正面視略四角形状である。クッション体前部４８０の上下方向の寸法は、クッション体背部４５０の上下方向の寸法よりも小さく、且つ第２のクッション体側部４６８の右端縁および第４のクッション体側部４７６の左端縁の上下方向の寸法と同じである。クッション体前部４８０の下端縁は、上下方向において、クッション体背部４５０、第１のクッション体側部４６４、第２のクッション体側部４６８、第３のクッション体側部４７２、および第４のクッション体側部４７６の下端縁と同じ位置を左右方向に延びる。また、クッション体前部４８０の上端縁は、第２のクッション体側部４６８の上端縁の右端部と、第４のクッション体側部４７６の上端縁の左端部とを結ぶように左右方向に延びる。クッション体前部４８０の左端縁は、クッション体接続部４８４ｄおよび４８４ｅによって、第２のクッション体側部４６８の右端縁と接続される。同様に、クッション体前部４８０の右端縁は、クッション体接続部４８４ｉおよび４８４ｊによって、第４のクッション体側部４７６の左端縁と接続される。これらクッション体接続部４８４ｄ、４８４ｅ、４８４ｉ、および４８４ｊの厚みは、クッション体前部４８０、第２のクッション体側部４６８、および第４のクッション体側部４７６などの厚みよりも薄い。クッション体前部４８０には、前後方向（厚み方向）において貫通する孔として、６つのクッション体前孔部４８２ａ、４８２ｂ、４８２ｃ、４８２ｄ、４８２ｅ、および４８２ｆが形成される。６つのクッション体前孔部４８２ａ、４８２ｂ、４８２ｃ、４８２ｄ、４８２ｅ、および４８２ｆは、それぞれ、同じ正面視略円形状である。クッション体前孔部４８２ａ、４８２ｂ、および４８２ｃは、クッション体前部４８０の左右方向の略中央を上下方向に延びる中央線と左端縁との間に上下方向に並んで配設される。クッション体前孔部４８２ａが下端縁の近傍に形成され、クッション体前孔部４８２ｂが上下方向において略中央に形成され、クッション体前孔部４８２ｃが上端縁の近傍に形成される。一方、クッション体前孔部４８２ｄ、４８２ｅ、および４８２ｆは、クッション体前部４８０の左右方向の略中央を上下方向に延びる中央線と右端縁との間に上下方向に並んで配設される。クッション体前孔部４８２ｄが下端縁の近傍に形成され、クッション体前孔部４８２ｅが上下方向において略中央に形成され、クッション体前孔部４８２ｆが上端縁の近傍に形成される。
【０１０６】
この実施の形態に係る収納ケース１０は、上記したベース体２０、ケース本体１２０および蓋体２２０を互いに係合して構成される。ここで、ベース体２０、ケース本体１２０および蓋体２２０を係合する手順について説明する。
【０１０７】
まず、ベース体２０の内面と、ケース本体１２０の外面とを係合する。具体的には、ベース側板６０Ｒのベース長手上端部６８をその後端部からケース本体１２０の本体側板１６０Ｒの外面に形成された本体長手凹部１６４にスライドして挿し込み、且つベース側板６０Ｌのベース長手上端部６８をその後端部からケース本体１２０の本体側板１６０Ｌの外面に形成された本体長手凹部１６４にスライドして挿し込む。そして、ベース側板６０Ｒの後端部に形成された第１の嵌合孔７４と、蓋側板２６０Ｒの後端部に突設された第１の嵌合突部２６２とを嵌合させる。このようにして、ベース体２０の内面と、ケース本体１２０の外面とを係合する。このとき、ベース体２０のベース底板４０と、ケース本体１２０の本体底板１４０との間（すなわち、ベース体２０の内面と、ケース本体１２０の外面との間）には、薄状物５１０を挿し込んで収納するための薄状物収納部３１０が形成される。さらに、ケース本体１２０の本体底板１４０、右側の本体側板１６０Ｒおよび左側の本体側板１６０Ｌ、並びにベース体２０のベース背板９０により、コインなどの小物５２０を収納するための小物収納部３２０が形成される。
【０１０８】
なお、ベース底板４０の内面に突設される外側突部４６Ｒと、本体底板１４０の外面に突設される前後方向延在突部１４２Ｒとは、前後方向にずれた位置となり、左右方向の位置がほぼ同じで、収納ケース１０を正面側から見たとき、上下方向に僅かな間隙のある状態で対向する。同様に、ベース底板４０の内面に突設される外側突部４６Ｌと、本体底板１４０の外面に突設される前後方向延在突部１４２Ｌとは、前後方向にずれた位置となり、左右方向の位置がほぼ同じで上下方向に僅かな間隙のある状態で対向する。
【０１０９】
そして、ケース本体１２０の後端部に蓋体２２０の後端部を回転可能に取り付ける。具体的には、ベース側板６０Ｒに形成される回転軸挿入孔３４０に本体側板１６０Ｒの内面に突設される回転軸３３０を挿入し、且つベース側板６０Ｌに形成される回転軸挿入孔３４０に本体側板１６０Ｌの内面に突設される回転軸３３０を挿入する。このようにして、ケース本体１２０の後端部に蓋体２２０の後端部を回転可能に取り付ける。上記のようにして、ベース体２０、ケース本体１２０および蓋体２２０が互いに係合してなる収納ケース１０を得る。
【０１１０】
なお、収納ケース１０の蓋体２２０を閉じて小物収納部３２０に蓋をしたとき、ベース側板６０Ｒに形成される第２の嵌合孔６５と、蓋側板１６０Ｒの内面に突設される第２の嵌合突部２６２とが嵌合し、且つベース側板６０Ｌに形成される第２の嵌合孔６５と、蓋側板１６０Ｌの内面に突設される第２の嵌合突部２６２とが嵌合する。このようにして、蓋体２２０は、小物収納部３２０に蓋をした状態に位置決めされる。
【０１１１】
上記のようにして得られた収納ケース１０には、小物収納部３２０の内面に中敷きが設けられてもよい。
【０１１２】
最後に、クッション体４４０が、蓋天板２４０の内面に取り付けられる。具体的には、クッション体４４０のクッション体背部４５０に形成された第１の係合雌部４５２、第２の係合雌部４５４、第３の係合雌部４５６、および第４の係合雌部４５８が、それぞれ、蓋天板２４０の内面に形成された第１の係合雄部２４２、第２の係合雄部２４４、第３の係合雄部２４６、および第４の係合雄部２４８に係合されることにより、クッション体４４０が蓋体２２０の内面に取り付けられる。蓋天板２４０の内面に取り付けられたクッション体４４０の下端縁は、蓋天板２４０の内面に突設された第１の突起部２５２および第２の突起部２５４よりも上方に位置する。
【０１１３】
図５６は、この発明の他の実施の形態に係る収納ケースが備えるクッション体に薄状物を挿入し、蓋体を開いた状態の平面図である。図５７は、この発明の他の実施の形態に係る収納ケースの図５６に示すＬＶＩＩ−ＬＶＩＩ断面図である。図５８は、この発明の他の実施の形態に係る収納ケースの図５６に示すＬＶＩＩＩ−ＬＶＩＩＩ断面図である。
【０１１４】
この実施の形態に係る収納ケース１０は、クッション体４４０を備えることにより、上記した一実施の形態に係る収納ケース１０が奏する効果に加えて、次のような効果も奏する。
【０１１５】
蓋天板２４０の内面に取り付けられたクッション体４４０は、上記したように、可撓性および弾力性を有した合成樹脂などにより形成されるため、特に、第１のクッション体側部４６４、第２のクッション体側部４６８、第３のクッション体側部４７２、第４のクッション体側部４７６、およびクッション体前部４８０が、蓋天板２４０の側へと容易に撓むことができ、また、そのように撓んだ後に容易に元の形状に戻ることができる。そして、クッション体４４０は、蓋体２２０を閉じたとき小物収納部３２０の底部（本体底板１４０）に撓んだ状態で当接するように蓋体２２０の内部に取り付けられる。これにより、小物収納部３２０に小銭などの小物５２０を収納したあと蓋体２２０を閉じたとき、クッション体４４０が小物５２０を厚さ方向に押さえつける。その結果、クッション体４４０は、小物５２０が小物収納部３２０の内部で揺動することを抑制することができる。そして、この実施の形態に係る収納ケース１０は、小物収納部３２０に収納された小物５２０が小物収納部３２０の内壁や他の小物５２０に衝突することにより発生する騒音を抑制することができ、且つ小物５２０が傷付くことを防止することができる。また、クッション体４４０は筒状に形成され、その天部にクッション体天開口部４９４を有する。したがって、クッション体天開口部４９４からお札などの薄状物５１０を挿入することによりクッション体４４０の内部に収納することができる。
【０１１６】
なお、この実施の形態に係るクッション体４４０は、クッション体背部４５０とクッション体前部４８０の左端縁同士が、平面視および底面視したとき角張って屈曲して互いに接続された第１のクッション体側部４６４と第２のクッション体側部４６８とを介して互いに接続され、クッション体背部４５０とクッション体前部４８０の右端縁同士が、平面視および底面視したとき角張って屈曲して互いに接続された第３のクッション体側部４７２と第４のクッション体側部４７６とを介して互いに接続される。すなわち、クッション体４４０は角筒状である。クッション体背部４５０とクッション体前部４８０とが上記したような側部によって接続されることにより、クッション体４４０の可撓性および弾力性が向上する。これにより、この実施の形態に係る収納ケース１０は、小物収納部３２０に収納された小物５２０が小物収納部３２０の内壁や他の小物５２０に衝突することにより発生する騒音をより抑制することができ、且つ小物５２０が傷付くことをより防止することができる。
【０１１７】
さらに、この実施の形態に係るクッション体４４０は、クッション体接続部４８４ａ、クッション体接続部４８４ｂ、クッション体接続部４８４ｃ、クッション体接続部４８４ｄ、クッション体接続部４８４ｅ、クッション体接続部４８４ｆ、クッション体接続部４８４ｇ、クッション体接続部４８４ｈ、クッション体接続部４８４ｉ、およびクッション体接続部４８４ｊのそれぞれの厚み（前後方向の寸法）が、クッション体背部４５０、第１のクッション体側部４６４、第２のクッション体側部４６８、第３のクッション体側部４７２、および第４のクッション体側部４７６、およびクッション体前部４８０の厚みよりも薄く形成される。これにより、クッション体４４０の可撓性および弾力性が向上する。その結果、この実施の形態に係る収納ケース１０は、小物収納部３２０に収納された小物５２０が小物収納部３２０の内壁や他の小物５２０に衝突することにより発生する騒音をより抑制することができ、且つ小物５２０が傷付くことをより防止することができる。
【０１１８】
さらに、この実施の形態に係るクッション体４４０は、第２のクッション体側部４６８に第１のクッション体側孔部４７０が形成され、第４のクッション体側部４７６に第２のクッション体側孔部４７８が形成される。これにより、クッション体４４０の可撓性および弾力性が向上する。その結果、この実施の形態に係る収納ケース１０は、小物収納部３２０に収納された小物５２０が小物収納部３２０の内壁や他の小物５２０に衝突することにより発生する騒音をより抑制することができ、且つ小物５２０が傷付くことをより防止することができる。さらに、クッション体４４０に用いる材料を減らすことができる。
【０１１９】
なお、この実施の形態に係るクッション体４４０は、クッション体底開口部４９２を有し、また、蓋天板２４０の内面には、クッション体底開口部４９２よりも下方の部分に左右方向に並んで第１の突起部２５２と第２の突起部２５４とが突設される。したがって、クッション体天開口部４９４からクッション体４４０の内部へと挿入された薄状物５１０は、その下端部分がクッション体底開口部４９２から抜け出し、その下端縁が蓋天板２４０の内面に突設された第１の突起部２５２および第２の突起部２５４に載置される。このような構成により、クッション体４４０に用いる材料を減らすことができる。
【０１２０】
さらに、この実施の形態に係るクッション体４４０には、クッション体前部４８０に６つのクッション体前孔部４８２ａ、４８２ｂ、４８２ｃ、４８２ｄ、４８２ｅ、および４８２ｆが形成される。これにより、クッション体４４０の可撓性および弾力性が向上する。その結果、この実施の形態に係る収納ケース１０は、小物収納部３２０に収納された小物５２０が小物収納部３２０の内壁や他の小物５２０に衝突することにより発生する騒音をより抑制することができ、且つ小物５２０が傷付くことをより防止することができる。さらに、クッション体４４０に用いる材料を減らすことができる。
【０１２１】
この実施の形態に係る収納ケース１０が備えるケース本体１２０の本体長手部前端天板１６８の上面には、天板凹部１６９が形成される。この天板凹部１６９により、クッション体４４０の内部に薄状物５１０を挿入してから蓋体２２０を閉じても、本体長手部前端天板１６８と蓋体２２０との間に薄状物５１０が挟まれた状態にならず、天板凹部１６９と蓋天板２４０とにより形成される空間に収納することができる。これにより、確実に蓋体２２０を閉じることができ、且つ本体長手部前端天板１６８と蓋天板２４０とで挟み込むことにより薄状物５１０を傷付けてしまうことを防止することができる。
【０１２２】
以上、この実施の形態に係る収納ケース１０は、上記した一実施の形態の場合と同様に、ベース体２０の内面と、ベース体２０の内面に対向するケース本体１２０の外面との間に形成される薄状物収納部３１０を備える場合について説明した。
【０１２３】
なお、この実施の形態に係る収納ケース１０が備えるクッション体４４０は、平面視（および底面視）したとき側部が角張って屈曲した角筒状に形成されたが、蓋体２２０を閉じたとき小物収納部３２０の底部（本体底板１４０）に撓んだ状態で十分な面積で当接できる形状であれば、例えば、楕円形状やその他の形状であってもよい。
【０１２４】
なお、この実施の形態に係る収納ケース１０が備えるクッション体４４０は、蓋天板２４０の内面に取り付けられる場合について説明したが、この場合に限定されず、例えば、蓋側板２６０Ｒおよび蓋側板２６０Ｌに取り付けられてもよい。
【０１２５】
なお、この実施の形態に係る収納ケース１０が備えるクッション体４４０は、例えば、折り畳んだお札を収納する場合について説明したが、この場合に限定されず、その他の薄状物も収納することができる。なお、例えば、幅方向の寸法を大きくするなど適宜変更することにより、クレジットカードやキャッシュカード、テレホンカードなどの薄状物を収納できるようにしてもよい。
【０１２６】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【符号の説明】
【０１２７】
１０  収納ケース
２０  ベース体
４０  ベース底板
４２  長孔
４４  底板前端切欠き部
４６Ｒ，４６Ｌ  外側突部
４８Ｒ，４８Ｌ  内側突部
６０Ｒ，６０Ｌ  ベース側板
６２  ベース長手部
６４  ベース長手基部
６５  第２の嵌合孔
６６  ベース長手下端部
６８  ベース長手上端部
７０  嵌合雌部
７２  嵌合雌基部
７４  第１の嵌合孔
７６  嵌合雌凹部
７８  嵌合雌上端部
９０  ベース背板
１２０  ケース本体
１４０  本体底板
１４２Ｒ，１４２Ｌ  前後方向延在突部
１６０Ｒ，１６０Ｌ  本体側板
１６２  本体長手部
１６４  本体長手凹部
１６６  第１の嵌合突部
１６８  本体長手部前端天板
１６９  天板凹部
１７０  嵌合雄部
１７２  嵌合雄部天板
１８０  本体前板
１８２  凹部連結切欠き部
２２０  蓋体
２４２  第１の係合雄部
２４４  第２の係合雄部
２４６  第３の係合雄部
２４８  第４の係合雄部
２５２  第１の突起部
２５４  第２の突起部
２４０  蓋天板
２６０Ｒ，２６０Ｌ  蓋側板
２６２  第２の嵌合突部
２６４ａ，２６４ｂ，２６４ｃ  蓋体把持凹部
２８０  蓋前板
２８２  前板下端切欠き部
２９０  蓋背板
３１０  薄状物収納部
３２０  小物収納部
３２８  開口
３３０  回転軸
３３２  土台部
３３４  主軸部
３３６  主軸先端突部
３３８  軸孔
３４０  回転軸挿入孔
４１０  第１の中敷き
４１２  第１の中敷き底面部
４１４Ｒ，４１４Ｌ  第１の中敷き側面部
４１６  第１の中敷き前面部
４１８Ｒ，４１８Ｌ，４１８Ｆ  折曲げ部
４２０  第２の中敷き
４３０  第３の中敷き
４４０  クッション体
４５０  クッション体背部
４５２  第１の係合雌部
４５４  第２の係合雌部
４５６  第３の係合雌部
４５８  第４の係合雌部
４６４  第１のクッション体側部
４６８  第２のクッション体側部
４７０  第１のクッション体側孔部
４７２  第３のクッション体側部
４７６  第４のクッション体側部
４７８  第２のクッション体側孔部
４８０  クッション体前部
４８２  クッション体前孔部
４８４  クッション体接続部
４９２  クッション体底開口部
４９４  クッション体天開口部
５１０  薄状物
５２０  小物
【図１】
0006325584.tif 000002
【図２】
0006325584.tif 000003
【図３】
0006325584.tif 000004
【図４】
0006325584.tif 000005
【図５】
0006325584.tif 000006
【図６】
0006325584.tif 000007
【図７】
0006325584.tif 000008
【図８】
0006325584.tif 000009
【図９】
0006325584.tif 000010
【図１０】
0006325584.tif 000011
【図１１】
0006325584.tif 000012
【図１２】
0006325584.tif 000013
【図１３】
0006325584.tif 000014
【図１４】
0006325584.tif 000015
【図１５】
0006325584.tif 000016
【図１６】
0006325584.tif 000017
【図１７】
0006325584.tif 000018
【図１８】
0006325584.tif 000019
【図１９】
0006325584.tif 000020
【図２０】
0006325584.tif 000021
【図２１】
0006325584.tif 000022
【図２２】
0006325584.tif 000023
【図２３】
0006325584.tif 000024
【図２４】
0006325584.tif 000025
【図２５】
0006325584.tif 000026
【図２６】
0006325584.tif 000027
【図２７】
0006325584.tif 000028
【図２８】
0006325584.tif 000029
【図２９】
0006325584.tif 000030
【図３０】
0006325584.tif 000031
【図３１】
0006325584.tif 000032
【図３２】
0006325584.tif 000033
【図３３】
0006325584.tif 000034
【図３４】
0006325584.tif 000035
【図３５】
0006325584.tif 000036
【図３６】
0006325584.tif 000037
【図３７】
0006325584.tif 000038
【図３８】
0006325584.tif 000039
【図３９】
0006325584.tif 000040
【図４０】
0006325584.tif 000041
【図４１】
0006325584.tif 000042
【図４２】
0006325584.tif 000043
【図４３】
0006325584.tif 000044
【図４４】
0006325584.tif 000045
【図４５】
0006325584.tif 000046
【図４６】
0006325584.tif 000047
【図４７】
0006325584.tif 000048
【図４８】
0006325584.tif 000049
【図４９】
0006325584.tif 000050
【図５０】
0006325584.tif 000051
【図５１】
0006325584.tif 000052
【図５２】
0006325584.tif 000053
【図５３】
0006325584.tif 000054
【図５４】
0006325584.tif 000055
【図５５】
0006325584.tif 000056
【図５６】
0006325584.tif 000057
【図５７】
0006325584.tif 000058
【図５８】
0006325584.tif 000059